(57)【特許請求の範囲】
【請求項１】
回転駆動する駆動軸を備えたモータと、
所定の中心軸を中心として回転可能に構成されると共に、前記中心軸を中心とする周方向の所定位置に当接作用部が形成され、且つ前記中心軸方向の一方寄りに半径方向に張り出す側壁部が形成されたカム部材と、
前記カム部材に対応して設けられ、前記カム部材の前記当接作用部の当接に応じて変位する可動体と、
前記カム部材に一体的に固定され、前記モータの駆動力を受けて前記中心軸を中心として回転する伝達部材と、
を備え、
前記カム部材の前記側壁部及び前記伝達部材には、前記中心軸の方向に貫通した確認孔が形成されると共に、前記カム部材に対して前記伝達部材が規定の取付位置に配置されたときに、前記側壁部に形成された前記確認孔と前記伝達部材に形成された前記確認孔とが前記中心軸の方向に並ぶ位置合わせ状態となり、その位置合わせ状態で前記カム部材に対して前記伝達部材が固定されることを特徴とする遊技機用可動演出装置。
【請求項２】
前記カム部材が複数設けられると共にそれら複数のカム部材が前記中心軸の方向に並んで一体的に連結されることで、前記中心軸を中心として回転可能なカムユニットが形成され、
このカムユニットの複数の各カム部材に対応して前記可動体がそれぞれ設けられており、
更に、前記カムユニットは、各カム部材に設けられた前記側壁部にそれぞれ前記確認孔が形成され、それら確認孔が前記中心軸の方向に並ぶ状態で複数の前記カム部材が互いに固定されており、
前記カムユニットに対して前記伝達部材が所定位置に配置されたときに、各カム部材に形成された各確認孔と前記伝達部材に形成された前記確認孔とが前記中心軸の方向に並んで前記位置合わせ状態となり、その位置合わせ状態で前記カムユニットに対して前記伝達部材が固定される構成をなすことを特徴とする請求項１に記載の遊技機用可動演出装置。
【請求項３】
前記カムユニットは、隣り合う２つのカム部材が互いに当接する構成で並んでおり、
前記カムユニットにおける隣り合う２つのカム部材は、一方側のカム部材の前記側壁部が板状に構成され、当該一方側のカム部材の前記側壁部に構成される側壁面に対し、他方側のカム部材の前記側壁部とは反対側の側壁面が当接された状態で固定されており、
前記伝達部材は、前記カムユニットにおける一方側端のカム部材の側壁面に取り付けられていることを特徴とする請求項２に記載の遊技機用可動演出装置。
【請求項４】
前記カムユニットは、前記複数のカム部材の各確認孔が前記中心軸の方向に並んで互いに固定されたとき、各カム部材の前記当接作用部が前記中心軸回りの周方向において他のカム部材の前記当接作用部とずらされた所定位置に配置され、且つ、当該カムユニットの回転時に、各カム部材の前記当接作用部が前記可動体に作用する当接開始タイミングと、他のカム部材の前記当接作用部が前記可動体に作用する当接開始タイミングとが異なるように設定されることを特徴とする請求項２又は請求項３に記載の遊技機用可動演出装置。
【請求項５】
前記伝達部材が並列に複数設けられ、それら複数の前記伝達部材が前記モータの回転に応じて連動する構成をなしており、
各伝達部材に対して前記カム部材がそれぞれ取り付けられていることを特徴とする請求項１から請求項４のいずれか一項に記載の遊技機用可動演出装置。
【請求項６】
前記伝達部材と前記カム部材とが一体化してなる回転ユニットを回転可能に支持するケースを備え、
前記ケースには、前記回転ユニットの側部と対向する位置に貫通孔が形成されており、
前記回転ユニットが所定の回転位置のときに、前記カム部材及び前記伝達部材の前記確認孔と、前記ケースの前記貫通孔とが前記中心軸の方向に並ぶように構成されていることを特徴とする請求項１から請求項５のいずれか一項に記載の遊技機用可動演出装置。
【請求項７】
前記ケースは、前記回転ユニットにおける前記中心軸方向の一方側を支持する第１壁部と、他方側を支持する第２壁部とを有しており、
前記第１壁部及び前記第２壁部のそれぞれに前記貫通孔が形成されており、
前記回転ユニットが前記所定の回転位置のときに、前記カム部材及び前記伝達部材の前記確認孔と、前記第１壁部及び前記第２壁部の前記貫通孔とが前記中心軸の方向に並ぶように構成されていることを特徴とする請求項６に記載の遊技機用可動演出装置。
【請求項８】
前記可動体は、前記中心軸に沿った回動軸を中心として回動可能に構成されると共に、前記当接作用部の当接を受ける被当接部を備え、
前記可動体の前記被当接部には、前記中心軸の方向に沿って貫通する確認孔が形成されており、
前記可動体が所定の回動位置のときに、当該可動体の前記被当接部が前記側壁部に対向するように収まり、且つ前記被当接部及び前記側壁部のそれぞれの確認孔が前記中心軸の方向に並ぶように構成されていること特徴とする請求項１から請求項７のいずれか一項に記載の遊技機用可動演出装置。
【請求項９】
請求項１から請求項８のいずれか一項に記載の遊技機用可動演出装置を備えたことを特徴とする遊技機。
【発明の詳細な説明】
【技術分野】
【０００１】
本発明は、遊技機用可動演出装置及びそれを備えた遊技機に関するものである。
【背景技術】
【０００２】
パチンコ機などの遊技機では、様々な装飾部品を遊技機内に多数配置することで装飾性や遊技性を高めている。中でも、動力源によって装飾部材を変位させる可動演出装置を用いることは、斬新でインパクトの強い演出を行う上で有利であり、例えばこのような可動演出装置を遊技領域内に配置し、所定の遊技条件の成立時（例えばリーチ状態や大当り状態の発生時）に可動体を変位させるといった演出方法を用いれば、所定遊技条件の成立時に遊技者の期待感をより高揚させることができ、遊技機自体のゲーム性を一層高めることができる。なお、このような可動演出装置としては、例えば特許文献１〜３のようなものが提供されている。
【先行技術文献】
【特許文献】
【０００３】
【特許文献１】特開２００９−２２６０３４
【特許文献２】特開２００９−１２５０９２
【特許文献３】特開２００８−２００１９３
【発明の概要】
【発明が解決しようとする課題】
【０００４】
ところで、特許文献１〜３の可動演出装置は、いずれの構成でもカム部材を用いて可動体を変位させており、いずれの場合も、カム部材には、モータからの駆動力を受ける伝達部材（ギア等）が連結されている。このような構成によれば、モータからの駆動力を伝達部材（ギア等）に伝達することで、カム部材を一体的に連動させることができ、カム部材を効率的に駆動することができる。
【０００５】
しかしながら、このようなカム機構を用いる場合、カム部材に対して伝達部材（ギア等）を正確に位置合わせしにくい場合があり、組み付けを効率的に行いにくいといった問題がある。更に、組み付けの際に、カム部材に対して誤った伝達部材（ギア等）を組み付けてしまうという問題（誤組発生の問題）もあり、部品点数が多い場合や、伝達機構が複雑化する場合にはこれらの問題が一層顕著となる。
【０００６】
本発明は、上述した課題を解決するためになされたものであり、部品の組み付け作業を正確且つ効率的に行うことができる遊技機用可動演出装置及びそれを備えた遊技機を提供することを目的とする。
【課題を解決するための手段】
【０００７】
本発明に係る遊技機用可動演出装置は、回転駆動する駆動軸を備えたモータと、所定の中心軸を中心として回転可能に構成されると共に、前記中心軸を中心とする周方向の所定位置に当接作用部が形成され、且つ前記中心軸方向の一方寄りに半径方向に張り出す側壁部が形成されたカム部材と、前記カム部材に対応して設けられ、前記カム部材の前記当接作用部の当接に応じて変位する可動体と、前記カム部材に一体的に固定され、前記モータの駆動力を受けて前記中心軸を中心として回転する伝達部材と、を備え、前記カム部材の前記側壁部及び前記伝達部材には、前記中心軸の方向に貫通した確認孔が形成されると共に、前記カム部材に対して前記伝達部材が規定の取付位置に配置されたときに、前記側壁部に形成された前記確認孔と前記伝達部材に形成された前記確認孔とが前記中心軸の方向に並ぶ位置合わせ状態となり、その位置合わせ状態で前記カム部材に対して前記伝達部材が固定されることを特徴としている。
【０００８】
また、本発明は、前記カム部材が複数設けられると共にそれら複数のカム部材が前記中心軸の方向に並んで一体的に連結されることで、前記中心軸を中心として回転可能なカムユニットが形成され、このカムユニットの複数の各カム部材に対応して前記可動体がそれぞれ設けられていてもよい。
更に、前記カムユニットにおいて、各カム部材に設けられた前記側壁部にそれぞれ前記確認孔が形成され、それら確認孔が前記中心軸の方向に並ぶ状態で複数の前記カム部材が互いに固定されていてもよい。そして、前記カムユニットに対して前記伝達部材が所定位置に配置されたときに、各カム部材に形成された各確認孔と前記伝達部材に形成された前記確認孔とが前記中心軸の方向に並んで前記位置合わせ状態となり、その位置合わせ状態で前記カムユニットに対して前記伝達部材が固定されるように構成されていてもよい。
【０００９】
また、上記のようにカムユニットを構成した場合、隣り合う２つのカム部材が互いに当接する構成で並んでいてもよい。そして、それら隣り合う２つのカム部材において、一方側のカム部材の前記側壁部が板状に構成され、当該一方側のカム部材の前記側壁部に構成される側壁面に対し、他方側のカム部材の前記側壁部とは反対側の側壁面が当接（押圧）された状態で固定されており、前記伝達部材が、前記カムユニットにおける一方側端のカム部材の側壁面に取り付けられていてもよい。
【００１０】
また、上記のようにカムユニットを構成した場合、このカムユニットは、前記複数のカム部材の各確認孔が前記中心軸の方向に並んで互いに固定されたとき、各カム部材の前記当接作用部が前記中心軸回りの周方向において他のカム部材の前記当接作用部とずらされた所定位置に配置され、且つ、当該カムユニットの回転時に、各カム部材の前記当接作用部が前記可動体に作用する当接開始タイミングと、他のカム部材の前記当接作用部が前記可動体に作用する当接開始タイミングとが異なるように設定されていてもよい。
【００１１】
また、本発明は、前記伝達部材が並列に複数設けられ、それら複数の前記伝達部材が前記モータの回転に応じて連動するように構成され、各伝達部材に対して前記カム部材がそれぞれ取り付けられていてもよい。
【００１２】
また、本発明は、前記伝達部材と前記カム部材とが一体化してなる回転ユニットを回転可能に支持するケースを備えていてもよい。この場合、前記ケースにおいて、前記回転ユニットの側部と対向する位置に貫通孔が形成され、前記回転ユニットが所定の回転位置のときに、前記カム部材及び前記伝達部材の前記確認孔と、前記ケースの前記貫通孔とが前記中心軸の方向に並ぶように構成されていることが望ましい。
【００１３】
また、上記のようにケースを設けた場合、更に、前記ケースにおいて、前記回転ユニットにおける前記中心軸方向の一方側を支持する第１壁部と、他方側を支持する第２壁部とが設けられていてもよい。この場合、前記第１壁部及び前記第２壁部のそれぞれに前記貫通孔が形成され、前記回転ユニットが前記所定の回転位置のときに、前記カム部材及び前記伝達部材の前記確認孔と、前記第１壁部及び前記第２壁部の前記貫通孔とが前記中心軸の方向に並ぶように構成されていることが望ましい。
【００１４】
また、本発明において、前記可動体は、前記中心軸に沿った回動軸を中心として回動可能に構成されると共に、前記当接作用部の当接を受ける被当接部を備えていてもよい。そして、前記可動体の前記被当接部において、前記中心軸の方向に沿って貫通する確認孔が形成され、前記可動体が所定の回動位置のときに、当該可動体の前記被当接部が前記側壁部に対向するように収まり、且つ前記被当接部及び前記側壁部のそれぞれの確認孔が前記中心軸の方向に並ぶように構成されていてもよい。
【００１５】
また、本発明に係る上記遊技機用可動演出装置を設けることで特徴的な遊技機を構成することができる。
【発明の効果】
【００１６】
本発明に係る遊技機用可動演出装置は、回転駆動する駆動軸を備えたモータと、所定の中心軸を中心として回転可能に構成されると共に、中心軸を中心とする周方向の所定位置に当接作用部が形成され、且つ中心軸方向の一方寄りに半径方向に張り出す側壁部が形成されたカム部材と、カム部材に対応して設けられ、カム部材の当接作用部の当接に応じて変位する可動体と、カム部材に一体的に固定され、モータの駆動力を受けて中心軸を中心として回転する伝達部材と、を備えている。この構成によれば、モータの駆動力をカム部材に伝達し、カム部材の作用によって可動体を変位させ得る構成を簡易に実現できる。
更に、カム部材の側壁部及び伝達部材には、中心軸の方向に貫通した確認孔が形成され、カム部材に対して伝達部材が規定の取付位置に配置されたときに、側壁部に形成された確認孔と伝達部材に形成された確認孔とが中心軸の方向に並ぶ位置合わせ状態となり、その位置合わせ状態でカム部材に対して伝達部材が固定されるようになっている。この構成によれば、組み付け時に確認孔が並んでいるか否かを確認することで、正規の部品が正しい位置に配置されているか否かを把握することができ、誤った部品の組み付け（誤組発生）や誤った位置への組み付けを効果的に防止することができる。また、組み付けの際に、カム部材及び伝達部材の両確認孔を挿し通すように細長の治具を用いることで、カム部材に対して伝達部材を規定の取付位置に容易に位置合わせすることができるため、両部材の組み付け作業を正確且つ効率的に行うことができるようになる。
【００１７】
また、本発明は、複数のカム部材が中心軸の方向に並んで一体的に連結されることで、中心軸を中心として回転可能なカムユニットが形成されていてもよい。そして、このカムユニットの各カム部材に対応して可動体がそれぞれ設けられていてもよい。このようにすることで、一体的なカムユニットの作用によって複数の可動体をそれぞれ所定のタイミングで変位させ得る構成を実現できる。
そして、この場合、各カム部材に設けられた側壁部にそれぞれ確認孔が形成され、それら確認孔が中心軸の方向に並ぶ状態で複数のカム部材が互いに固定される構成となっていることが望ましい。そして、カムユニットに対して伝達部材が所定位置に配置されたときに、各カム部材に形成された各確認孔と伝達部材に形成された確認孔とが中心軸の方向に並んで位置合わせ状態となり、その位置合わせ状態でカムユニットに対して伝達部材が固定されるようになっていることが望ましい。
この構成によれば、複数のカム部材を互いに組み付ける際に、各確認孔が並んでいるか否かを確認することで、正規のカム部材が正しい位置に配置されているか否かを把握することができ、カムユニットを構成する際の誤った部品の組み付け（誤組発生）や誤った位置への組み付けを効果的に防止することができる。また、複数のカム部材を互いに組み付ける際にも、各カム部材の確認孔を挿し通すように細長の治具を用いることで、カム部材同士を正しい位置に容易に位置合わせすることができるため、複数のカム部材の組み付け作業を正確且つ効率的に行うことができるようになる。
【００１８】
また、上記のようにカムユニットを構成した場合、隣り合う２つのカム部材が互いに当接する構成で並んでいてもよい。そして、それら隣り合う２つのカム部材において、一方側のカム部材の側壁部が板状に構成され、当該一方側のカム部材の側壁部に構成される側壁面に対し、他方側のカム部材の側壁部とは反対側の側壁面が当接（押圧）された状態で固定され、伝達部材が、このカムユニットにおける一方側端のカム部材の側壁面に取り付けられていてもよい。このようにすると、隣り合うカム部材同士を安定的に当接させて一体的なカムユニットを構成することができる。
【００１９】
また、上記カムユニットは、複数のカム部材の各確認孔が中心軸の方向に並んで互いに固定されたとき、各カム部材の当接作用部が中心軸回りの周方向において他のカム部材の当接作用部とずらされた所定位置に配置されるようになっていてもよい。そして、カムユニットの回転時に、各カム部材の当接作用部が可動体に作用する当接開始タイミングと、他のカム部材の当接作用部が可動体に作用する当接開始タイミングとが異なるように設定されていてもよい。
このようにすると、一体的なカムユニットによって複数の可動体をそれぞれ異なるタイミングで動作させることができ、可動体を時間差で変位させる演出が可能となる。
一方、上記のように、各カム部材の当接作用部を周方向において他のカム部材の当接作用部とずらした所定位置に配置する構成とすると、各カム部材の当接作用部の位置合わせが難しくなり、カム部材同士を固定し難くなることが懸念される。しかしながら、上記構成では、各確認孔が中心軸の方向に並んで互いに固定されたときに、各カム部材の当接作用部が所定位置（他のカム部材の当接作用部とずらされた位置）に配置されるようになっているため、各確認孔を中心軸の方向に並ばせるように調整することで正確な位置合わせを容易に行うことができる。また、カム部材には半径方向に張り出す側壁部が設けられており、この側壁部に対して他のカム部材を固定することができるため、両カム部材を容易に且つ安定的に固定し易くなる。
【００２０】
また、本発明は、並列に配置された複数の伝達部材がモータの回転に応じて連動するように構成され、各伝達部材に対してカム部材がそれぞれ取り付けられていてもよい。
このようにすると、複数のカム部材を単一の駆動源によって並列に回転駆動させることができ、各カム部材に対応する可動体をそれぞれ所定のタイミングで動作させ得る構成を簡易に実現できる。更に、各伝達部材に対して各カム部材を並列に組み付ける際に、それぞれの伝達部材において誤った部品の組み付け（誤組発生）や誤った位置への組み付けを効果的に防止することができ、且つ組み付け作業を効率的に行うことができるようになる。
【００２１】
また、本発明は、伝達部材とカム部材とが一体化してなる回転ユニットを回転可能に支持するケースを備えていてもよい。この場合、ケースにおいて、回転ユニットの側部と対向する位置に貫通孔が形成され、回転ユニットが所定の回転位置のときに、カム部材及び伝達部材の確認孔と、ケースの貫通孔とが中心軸の方向に並ぶように構成されていることが望ましい。
このようにすると、回転ユニットをケースによって安定的に保持することができ、更に、ケースに対して回転ユニットを組み付ける際に、正規の伝達部材及びカム部材が取り付けられているか否かを貫通孔及び確認孔を基準として適切に確認することができる。また、回転ユニットの確認孔とケースの貫通孔とに治具を挿通することで、ケースに対して回転ユニットを容易に位置合わせすることができ、組み付け作業をより効率的に行うことができる。
【００２２】
また、上記ケースにおいて、回転ユニットにおける中心軸方向の一方側を支持する第１壁部と、他方側を支持する第２壁部とが設けられていてもよい。この場合、第１壁部及び第２壁部のそれぞれに貫通孔が形成され、回転ユニットが所定の回転位置のときに、カム部材及び伝達部材の確認孔と、第１壁部及び第２壁部の貫通孔とが中心軸の方向に並ぶように構成されていることが望ましい。このようにすると回転ユニットを第１壁部及び第２壁部によって安定的に保持することができると共に、第１壁部、第２壁部、伝達部材、カム部材が全て適切な部品によって構成されているか否かを貫通孔及び確認孔を基準として確認することができる。また、回転ユニットの確認孔に挿通される治具を、ケースの両壁部（第１壁部及び第２壁部）の貫通孔に挿通することで、ケースの両側の壁部（第１壁部及び第２壁部）に対して回転ユニットを容易に位置合わせすることができ、組み付け作業をより効率的に行うことができる。
【００２３】
また、本発明において、前記可動体は、前記中心軸に沿った回動軸を中心として回動可能に構成されると共に、前記当接作用部の当接を受ける被当接部を備えていてもよい。そして、前記可動体の前記被当接部において、前記中心軸の方向に沿って貫通する確認孔が形成され、前記可動体が所定の回動位置のときに、当該可動体の前記被当接部が前記側壁部に対向するように収まり、且つ前記被当接部及び前記側壁部のそれぞれの確認孔が前記中心軸の方向に並ぶように構成されていてもよい。
このように構成すると、装置搬送時や組み付けの際に可動体とカム部材とを貫通するように治具を通すことができるようになり、これにより装置搬送時や組み付けの際に揺動が懸念される可動体をカム部材と仮固定することができるようになる。そして、このような仮固定を行うことで、部品のぐらつきなどを低減して位置保持の安定化を図ることができる。
【００２４】
また、上記遊技機用可動演出装置を遊技機に設けることで、上記遊技機用可動演出装置と同様の効果を奏する特徴的な遊技機を実現できる。
【図面の簡単な説明】
【００２５】
【図１】図１は、本発明の第１実施形態に係る遊技機用可動演出装置を備えた遊技機を例示する正面図である。
【図２】図２は、図１の遊技機において遊技機用可動演出装置を動作させた状態を例示する正面図である。
【図３】図３（Ａ）は、第１実施形態に係る遊技機用可動演出装置を概略的に例示する斜視図であり、図３（Ｂ）は、その遊技機用可動演出装置を図３（Ａ）とは異なる角度から見た斜視図である。
【図４】図４（Ａ）は、第１実施形態に係る遊技機用可動演出装置を概略的に例示する正面図であり、図４（Ｂ）は、その遊技機用可動演出装置の背面図である。
【図５】図５（Ａ）は、第１実施形態に係る遊技機用可動演出装置の平面図であり、図５（Ｂ）は、その遊技機用可動演出装置の底面図である。
【図６】図６（Ａ）は、第１実施形態に係る遊技機用可動演出装置の左側面図であり、図６（Ｂ）は、その遊技機用可動演出装置の右側面図である。
【図７】図７は、第１実施形態に係る遊技機用可動演出装置の分解斜視図である。
【図８】図８は、第１実施形態に係る遊技機用可動演出装置における各回転ユニットの分解斜視図である。
【図９】図９は、第１実施形態に係る遊技機用可動演出装置において一部の可動体を分解した斜視図である。
【図１０】図１０（Ａ）は、第１実施形態に係る遊技機用可動演出装置の可動体及び回転ユニットの部分に対して治具を挿し通した状態を概略的に示す斜視図であり、図１０（Ｂ）は、その側面図である。
【図１１】図１１は、各回転ユニットの各確認孔に治具を挿し通した状態を概略的に示す斜視図である。
【図１２】図１２（Ａ）は、各可動体の各挿通孔に治具を挿し通した状態を概略的に示す斜視図であり、図１２（Ｂ）はその側面図である。
【図１３】図１３は、第１実施形態に係る遊技機用可動演出装置の一部構成（可動体、歯車、ケース等）について、１番目の可動体が変位した状態を示す正面図である。
【図１４】図１４（Ａ）は、第１実施形態に係る遊技機用可動演出装置の一部構成（可動体、回転ユニット、モータ等）について、１番目の可動体が変位した状態を示す斜視図であり、図１４（Ｂ）は、その側面図である。
【図１５】図１５は、第１実施形態に係る遊技機用可動演出装置の一部構成（可動体、歯車、ケース等）について、１番目及び２番目の可動体が変位した状態を示す正面図である。
【図１６】図１６（Ａ）は、第１実施形態に係る遊技機用可動演出装置の一部構成（可動体、回転ユニット、モータ等）について、１番目及び２番目の可動体が変位した状態を示す斜視図であり、図１６（Ｂ）は、その側面図である。
【図１７】図１７は、第１実施形態に係る遊技機用可動演出装置の一部構成（可動体、歯車、ケース等）について、１番目、２番目、３番目の可動体が変位した状態を示す正面図である。
【図１８】図１８（Ａ）は、第１実施形態に係る遊技機用可動演出装置の一部構成（可動体、回転ユニット、モータ等）について、１番目、２番目、３番目の可動体が変位した状態を示す斜視図であり、図１８（Ｂ）は、その側面図である。
【図１９】図１９は、第１実施形態に係る遊技機用可動演出装置の組み立て工程１を説明する説明図である。
【図２０】図２０は、図１９に続く工程２を説明する説明図である。
【図２１】図２１は、図２０に続く工程３を説明する説明図である。
【図２２】図２２は、図２１に続く工程４を説明する説明図である。
【図２３】図２３は、図２２に続く工程５を説明する説明図である。
【図２４】図２４は、図２３に続く工程６を説明する説明図である。
【図２５】図２５は、図２４に続く工程７を説明する説明図である。
【図２６】図２６は、図２５に続く工程８を説明する説明図である。
【図２７】図２７は、図２６に続く工程９を説明する説明図である。
【図２８】図２８は、図２７に続く工程１０を説明する説明図である。
【図２９】図２９は、図１９〜図２８の工程を経て完成した遊技機用可動演出装置を説明する説明図である。
【発明を実施するための形態】
【００２６】
[第１実施形態]
以下、本発明に係る遊技機用可動演出装置を具現化した第１実施形態について、図面を参照して説明する。なお、図１は、本発明の第１実施形態に係る遊技機用可動演出装置を備えた遊技機を例示する正面図であり、図２は、図１の遊技機において遊技機用可動演出装置を動作させた状態を例示する正面である。まず、図１、図２を参照して遊技機１の構成を概説する。
【００２７】
（遊技機の構成）
図１に示す遊技機１は、いわゆるパチンコ機として構成されており、遊技者側に配される前面枠２に形成された窓部に透明板（ガラス板等）が配置され、遊技者が、透明板を介して後方の遊技領域５ａを視認できるように構成されている。また、透明板の後方（奥側）には、遊技盤５が配置され、この遊技盤上にガイドレール３等によって区画された遊技領域（遊技球が流下可能な領域）５ａが形成されている。更に、遊技領域５ａの中央部には、液晶表示装置１１と、後述する遊技機用可動演出装置２０とを備えたセンター装飾装置１０が配置されており、遊技中に各種演出（例えば図２のような演出）が可能とされている。また、透明板の下方側には、遊技球を受ける遊技球受皿９や遊技球を発射する発射ハンドル８などが設けられている。
【００２８】
（遊技機用可動演出装置の構成）
次に、第１実施形態に係る遊技機用可動演出装置２０について詳述する。
図３（Ａ）は、第１実施形態に係る遊技機用可動演出装置を概略的に例示する斜視図であり、図３（Ｂ）は、その遊技機用可動演出装置を図３（Ａ）とは異なる角度から見た斜視図である。図４（Ａ）は、第１実施形態に係る遊技機用可動演出装置を概略的に例示する正面図であり、図４（Ｂ）は、その遊技機用可動演出装置の背面図である。図５（Ａ）は、第１実施形態に係る遊技機用可動演出装置の平面図であり、図５（Ｂ）は、その遊技機用可動演出装置の裏面図である。図６（Ａ）は、第１実施形態に係る遊技機用可動演出装置の左側面図であり、図５（Ｂ）は、その遊技機用可動演出装置の右側面図である。図７は、第１実施形態に係る遊技機用可動演出装置の分解斜視図である。図８は、第１実施形態に係る遊技機用可動演出装置における各回転ユニットの分解斜視図である。図９は、第１実施形態に係る遊技機用可動演出装置の各可動体の分解斜視図である。図１０（Ａ）は、第１実施形態に係る遊技機用可動演出装置の可動体及び回転ユニットの部分に対して治具を挿し通した状態を概略的に示す斜視図であり、図１０（Ｂ）は、その側面図である。図１１は、各回転ユニットの各確認孔に治具を挿し通した状態を概略的に示す斜視図である。図１２（Ａ）は、各可動体の各挿通孔に治具を挿し通した状態を概略的に示す斜視図であり、図１２（Ｂ）はその側面図である。なお、図１０，図１１，図１２は、説明上、治具２０１，２０２，２０３を挿し通した状態を示しているが、これら治具２０１，２０２，２０３は、組み立て作業や確認作業に用いるものであり、実際の使用時（遊技盤取付時）には、これら治具２０１，２０２，２０３は外されて使用されるようになっている。また、以下の説明では、回転ユニットや可動体の動作を説明する際に、図１０，図１１，図１２を参照して説明することもあるが、回転ユニットや可動体が動作するときには、これら治具２０１，２０２，２０３が外されていることを先に述べておく。
【００２９】
上述したように、本実施形態に係る遊技機用可動演出装置２０（以下、可動演出装置２０とも言う）は、図１等に示すセンター装飾装置１０の一部として構成されており、図示しない制御回路（ＣＰＵやメモリ等を備えてなる電子回路）によって電気的に制御されることで、例えば図２のように機械的に動作する構成をなしている。
【００３０】
第１実施形態に係る可動演出装置２０は、全体として図３〜図６のような外観をなしている。図４等に示すように、可動演出装置２０は、回転駆動する駆動軸２２ａ（図７等）を備えたモータ２２と、ケース２４に揺動可能に保持される複数の可動体６１〜６９と、ケース２４に回転可能に保持されると共にモータ２２によって駆動される複数のカムユニット３０，４０，５０（図４（Ａ），図７等参照）とを備えており、これらカムユニット３０，４０，５０の駆動に応じて各可動体６１〜６９が変位するようになっている。
【００３１】
まず、ケース２４について説明する。
図３〜図６に示すように、ケース２４は、遊技機用可動演出装置２０の外殻をなしており、後述する各種部品を収容する構成をなしている。このケース２４は、図７に示すように、第１ケース体２４ａと第２ケース体２４ｂとが結合した構成をなしており、第１ケース体２４ａに形成された第１壁部２５と、第２ケース体２４ｂに形成された第２壁部２６とによって回転ユニット７１，７２，７３を回転可能に支持する構成をなしている。なお、各回転ユニット７１，７２，７３は、後述する各歯車８１，８２，８３（伝達部材）がそれぞれ各カムユニット３０，４０，５０と一体的に連結してなるものであり、具体的な構成については後述する。
【００３２】
次に、モータ２２について説明する。
モータ２２は、公知のステッピングモータなどによって構成されるものであり、図３（Ａ）、図４（Ａ）に示すようにケース２４に固定（図７の例では保持部材２７に保持される形態で第１ケース体２４ａに固定）されている。このモータ２２は、図示しない制御回路からの制御信号を受けて駆動軸２２ａ（図７等）を回転させるように構成されており、この駆動軸２２ａの回転速度や回転角度は上記制御回路によって制御されるようになっている。更に、図７等に示すように、モータ２２の駆動軸２２ａには歯車８７が固定されており、モータ２２の駆動に応じてケース２４内で歯車８７が回転するようになっている。
【００３３】
次に、歯車について説明する。
図３〜図６に示すケース２４の内部には、図７、図８に示すように、３つのカムユニット３０，４０，５０と、各カムユニット３０，４０，５０に連結される３つの歯車８１，８２，８３と、モータ２２の駆動軸２２ａに連結される歯車８７と、歯車８７及び歯車８１と連動する中間歯車８５と、歯車８２及び歯車８３と連動する中間歯車８６とが設けられている。歯車８７、中間歯車８５、中間歯車８６は、第１ケース体２４ａの内壁側に固定される保持部材２７に回転可能に保持されており、モータ２２の回転駆動力が歯車８７及び中間歯車８５を介して歯車８１及び歯車８２に伝達され、更に歯車８２の回転駆動力が中間歯車８６を介して歯車８３に伝達されるようになっている（図１３も参照）。
【００３４】
歯車８１，８２，８３は、伝達部材の一例に相当するものであり、それぞれが図８に示すねじ部材８４，８５，８６によって各カムユニット３０，４０，５０に一体的に固定されており、モータ２２の回転駆動力を受けて中心軸Ｇ１，Ｇ２,Ｇ３（図１０、図１１、図１３）を中心として回転するように構成されている。本実施形態の構成では、単一のモータ２２の回転に応じて３つの歯車８１，８２，８３が連動して回転するようになっており、これら各歯車８１，８２，８３に対して各カムユニット３０，４０，５０がそれぞれ一体的に取り付けられることで、３つのカムユニット３０，４０，５０が連動して回転するようになっている。なお、歯車８１，８２，８３及び中間歯車８５，８６は、例えば歯車８７の回転に応じて各歯車８１，８２，８３がほぼ同じ回転速度で回転するように各歯数が設定されている。また、各歯車８１，８２，８３には、それぞれ中心軸Ｇ１，Ｇ２，Ｇ３（図１）の方向に貫通した確認孔８１ａ，８２ａ，８３ａが形成されている。これら確認孔８１ａ，８２ａ，８３ａは、確認孔８１ａから中心軸Ｇ１までの距離、確認孔８２ａから中心軸Ｇ２までの距離、確認孔８３ａから中心軸Ｇ３までの距離はいずれも同程度となっている。そして、確認孔８１ａから中心軸Ｇ１までの距離は、後述する各確認孔３７ａ，３８ａ，３９ａそれぞれから中心軸Ｇ１までの各距離と同程度となっており、確認孔８２ａから中心軸Ｇ２までの距離は、各確認孔４７ａ，４８ａ，４９ａそれぞれから中心軸Ｇ２までの各距離と同程度となっている。また、確認孔８３ａから中心軸Ｇ３までの距離は、各確認孔５７ａ，５８ａ，５９ａそれぞれから中心軸Ｇ３までの各距離と同程度となっている。具体的には、確認孔８１ａは、円板状に構成される歯車８１において外周部に形成された各歯の歯底付近に形成され、歯車８１を厚さ方向に貫通する構成で設けられている。同様に、確認孔８２ａは、円板状に構成される歯車８２において外周部に形成された各歯の歯底付近に形成され、歯車８２を厚さ方向に貫通する構成で設けられている。また、確認孔８３ａは、円板状に構成される歯車８３において外周部に形成された各歯の歯底付近に形成され、歯車８３を厚さ方向に貫通する構成で設けられている。
【００３５】
次に、カムユニット３０，４０，５０について説明する。
カムユニット３０，４０，５０は、いずれも複数のカム部材が一体的に連結した構成をなしている。
例えば、カムユニット３０は、図７、図８に示すように、円柱状の３つのカム部材３１，３２，３３が中心軸方向に並ぶ形態で一体的に連結された構成をなしており、全体として略円柱状に構成されている。各カム部材３１〜３３はいずれも、図１０、図１１に示す中心軸Ｇ１を中心として回転可能に構成されると共に、この中心軸Ｇ１を中心とする周方向の所定位置に当接作用部３４〜３６が形成され、且つ中心軸方向の一方寄りに半径方向に張り出す側壁部が形成されている。
【００３６】
このうち、カム部材３１は、図８、図１１のように、中心軸Ｇ１（図１１）を中心として円筒状に構成される円筒部３１ａと、中心軸Ｇ１の周囲において周方向の所定位置に配置される当接作用部３４と、円筒部３１ａから半径方向に張り出す側壁部３７とを備えている。当接作用部３４は、カム部材３１が所定の回転位置となっているときに可動体６１に当接して作用する部分であり、円筒部３１ａの半径方向外側に膨出した構成をなしている。具体的には、円筒部３１ａの周囲を部分的に取り囲む断面円弧状の周壁部３４ａと、円筒部３１ａから半径方向に沿って延びる当接壁３４ｂと、円筒部３１ａから半径方向に沿って延びると共に当接壁３４ｂに対して所定の角度で配置される反対壁３４ｃとを備えている。また、カム部材３１において、中心軸Ｇ１の方向の一方寄り（歯車８１とは反対のカム部材３２側）には、中心の円筒部３１ａから半径方向に張り出す板状の側壁部３７が形成されている。この側壁部３７は、円板状に構成されると共に板面が中心軸Ｇ１とほぼ直交する構成で配置されており、円筒部３１ａの周囲における当接作用部３４が設けられていない領域に板厚方向に貫通する確認孔３７ａが形成されている。また、周壁部３４ａは、側壁部３７の外周縁部の所定角度範囲において中心軸Ｇ１の方向に起立するように形成されており、この周壁部３４ａの周方向一端側には、側壁部３７から中心軸Ｇ１の方向に起立するように当接部３４ｂが形成され、周壁部３４ａの周方向他端側には、側壁部３７から中心軸Ｇ１の方向に起立するように反対壁３４ｃが形成されている。
【００３７】
また、カム部材３２は、中心軸Ｇ１を中心として円筒状に構成される円筒部３２ａと、中心軸Ｇ１の周囲において周方向の所定位置に配置される当接作用部３５と、円筒部３２ａから半径方向に張り出す側壁部３８とを備えている。当接作用部３５は、カム部材３２が所定の回転位置となっているときに可動体６２に当接して作用する部分であり、円筒部３２ａの半径方向外側に膨出した構成をなしている。具体的には、円筒部３２ａの周囲を部分的に取り囲む断面円弧状の周壁部３５ａと、円筒部３２ａから半径方向に沿って延びる当接壁３５ｂと、円筒部３２ａから半径方向に沿って延びると共に当接壁３５ｂに対して所定の角度で配置される反対壁３５ｃとを備えている。また、カム部材３２において、中心軸Ｇ１の方向の一方寄り（歯車８１とは反対のカム部材３３側）には、中心の円筒部３２ａから半径方向に張り出す板状の側壁部３８が形成されている。この側壁部３８は、円板状に構成されると共に板面が中心軸Ｇ１とほぼ直交する構成で配置されており、円筒部３２ａの周囲における当接作用部３５が設けられていない領域に板厚方向に貫通する確認孔３８ａが形成されている。また、周壁部３５ａは、側壁部３８の外周縁部の所定角度範囲において中心軸Ｇ１の方向に起立するように形成されており、この周壁部３５ａの周方向一端側には、側壁部３８から中心軸Ｇ１の方向に起立するように当接部３５ｂが形成され、周壁部３５ａの周方向他端側には、側壁部３８から中心軸Ｇ１の方向に起立するように反対壁３５ｃが形成されている。
【００３８】
また、カム部材３３は、中心軸Ｇ１を中心として円筒状に構成される円筒部３３ａと、中心軸Ｇ１の周囲において周方向の所定位置に配置される当接作用部３６と、円筒部３３ａから半径方向に張り出す側壁部３９とを備えている。当接作用部３６は、カム部材３３が所定の回転位置となっているときに可動体６３に当接して作用する部分であり、円筒部３３ａの半径方向外側に膨出した構成をなしている。具体的には、円筒部３３ａの周囲を部分的に取り囲む断面円弧状の周壁部３６ａと、円筒部３３ａから半径方向に沿って延びる当接壁３６ｂと、円筒部３３ａから半径方向に沿って延びると共に当接壁３６ｂに対して所定の角度で配置される反対壁３６ｃとを備えている。また、カム部材３３において、中心軸Ｇ１の方向の一方寄り（歯車８１とは反対側）には、中心の円筒部３３ａから半径方向に張り出す板状の側壁部３９が形成されている。この側壁部３９は、円板状に構成されると共に板面が中心軸Ｇ１とほぼ直交する構成で配置されており、円筒部３３ａの周囲における当接作用部３６が設けられていない領域に板厚方向に貫通する確認孔３９ａが形成されている。また、周壁部３６ａは、側壁部３９の外周縁部の所定角度範囲において中心軸Ｇ１の方向に起立するように形成されており、この周壁部３６ａの周方向一端側には、側壁部３９から中心軸Ｇ１の方向に起立するように当接部３６ｂが形成され、周壁部３６ａの周方向他端側には、側壁部３９から中心軸Ｇ１の方向に起立するように反対壁３６ｃが形成されている。
【００３９】
上記カムユニット３０では、隣り合う２つのカム部材が互いに当接する構成で並んでいる。例えば、図７、図１１のように、隣り合う２つのカム部材３１、３２が互いに当接する構成で並んでおり、隣り合う２つのカム部材３２、３３についても互いに当接する構成で並んでいる。具体的には、隣り合う２つのカム部材３１、３２において、一方側のカム部材３１の側壁部３７が板状に構成され、当該一方側のカム部材３１の側壁部３７における外側の板面に対し、他方側のカム部材３２の側壁面（側壁部３８とは反対側の側壁面）が当接（押圧）された状態で固定されている。また、隣り合う２つのカム部材３２、３３において、一方側のカム部材３２の側壁部３８が板状に構成され、当該一方側のカム部材３２の側壁部３８における外側の板面に対し、他方側のカム部材３３の側壁面（側壁部３９とは反対側の側壁面）が当接（押圧）された状態で固定されている。なお、３つのカム部材３１，３２，３３は、ねじ等の締結部材によって互いに連結されるようになっており、図８の例では、カム部材３３に形成された軸方向の突出部３３ｃが、カム部材３２に形成された図示しない孔内に挿し通され、この突出部３３ｃと、カム部材３１の側壁部３７とがねじ部材８８ａによって共締めされることにより、カム部材３１，３３の間にカム部材３２が挟まれた形態でこれらが一体的に固定されるようになっている。
【００４０】
また、カム部材３１の円筒部３１ａにおけるカム部材３２側の端部には、当該カム部材３２側に突出する３つの突起部３１ｄ（図１１では１つのみ図示）が形成され、これら突起部３１ｄが、カム部材３２の円筒部３２ａにおけるカム部材３１側の端部に形成された３つの窪み３２ｃにそれぞれ嵌り込むようになっている。同様に、カム部材３２の円筒部３２ａにおけるカム部材３３側の端部には、当該カム部材３３側に突出する３つの突起部（図示略）が形成され、これら突起部が、カム部材３３の円筒部３３ａにおけるカム部材３２側の端部に形成された３つの窪み３３ｃに嵌り込むようになっている。なお、このようなカム部材同士の連結構造は、他のカムユニット４０，５０においても同様である。
【００４１】
このようにして連結されたカムユニット３０に対し、更に上記歯車８１が固定され、これにより一体的に回転する回転ユニット７１が構成される。回転ユニット７１の両側には、円筒状の軸受部材９４，９７が嵌め込まれるようになっており、具体的には、歯車８１の中心部に形成された孔部８１ｃに軸受部材９４が嵌めこまれ、カム部材３３の中心部に形成された孔部（図示略）にも軸受部材９７が嵌めこまれるようになっている（図１１も参照）。そして、これら軸受部材９４，９７及び各円筒部３１ａ，３２ａ，３３ａを貫通する構成で、棒状の軸部材９１が挿し込まれるようになっている（図８、図１０参照）。
【００４２】
以上のような構造で、カム部材３１〜３３及び歯車８１が連結されているため、カム部材３１において、当該カム部材３１の側壁部３７と、隣り合う歯車８１によって挟まれた形態で凹部３１ｂが形成され、初期状態のときに可動体６１の被作用部６１ａを入り込ませて配置できるようになっている（図８、図１０参照）。また、カム部材３２において、当該カム部材３２の側壁部３８と、隣り合うカム部材３１の側壁部３７とによって挟まれた形態で凹部３２ｂが形成され、初期状態のときに可動体６２の被作用部６２ａを入り込ませて配置できるようになっている。同様に、カム部材３３において、当該カム部材３３の側壁部３９と、隣り合うカム部材３１の側壁部３７とによって挟まれた形態で凹部３３ｂが形成され、初期状態のときに可動体６３の被作用部６３ａを入り込ませて配置できるようになっている。
【００４３】
また、このカムユニット３０は、図１１等に示すような正規位置で固定されているとき（即ち、各カム部材３１，３２，３３の各確認孔３７ａ，３８ａ，３９ａが中心軸Ｇ１の方向に並んで互いに固定されているとき）、各カム部材３１，３２，３３の当接作用部３４，３５，３６がそれぞれ中心軸Ｇ１回りの周方向において他のカム部材の当接作用部とずらされた所定位置に配置され、且つ、当該カムユニット３０の回転時に、各カム部材３１，３２，３３の当接作用部３４，３５，３６が各可動体６１，６２，６３それぞれに作用する当接開始タイミングと、他のカム部材の当接作用部が可動体に作用する当接開始タイミングとが異なるように設定されている。
【００４４】
具体的には、当接作用部３４の端部をなす当接壁３４ｂが、他のカム部材３２，３３の各当接作用部３５，３６の端部をなす各当接壁３５ｂ，３６ｂに対して周方向にずらされて配置されており、図３〜図６のような初期状態（待機状態）から回転ユニット７１が回転したときの当接作用部３４の当接壁３４ｂが可動体６１に当接する当接開始タイミングと、他の当接壁３５ｂ，３６ｂが可動体６２，６３にそれぞれ当接する当接開始タイミングとが異なるように設定されている。同様に、当接作用部３５の当接壁３５ｂが可動体６２に当接する当接開始タイミングと、他の当接壁３４ｂ，３６ｂが可動体６１，６３にそれぞれ当接する当接開始タイミングとが異なるように設定され、更に、当接作用部３６の当接壁３６ｂが可動体６３に当接する当接開始タイミングと、他の当接壁３４ｂ，３５ｂが可動体６１，６２にそれぞれ当接する当接開始タイミングとが異なるように設定されている。
【００４５】
また、本実施形態では、図１０（Ｂ）のように、可動体６１が、中心軸Ｇ１の方向において歯車８１の領域とカム部材３１の領域とに跨っており（即ち、可動体６１は、中心軸Ｇ１の方向において、自身に対応するカム部材３１の領域だけでなく歯車８１の領域側にまで及んでおり）、この可動体６１と幅方向（中心軸Ｇ１方向）に隣接する可動体６２は、当該中心軸Ｇ１方向においてカム部材３１の領域とカム部材３２の領域とに跨っている。更に、この可動体６２と幅方向（中心軸Ｇ１方向）に隣接する可動体６３は、当該中心軸Ｇ１方向においてカム部材３２の領域とカム部材３３の領域とに跨っている。そして、カム部材３３の中心軸Ｇ１方向の長さ（幅）が、他のカム部材３１，３２の中心軸Ｇ１方向の長さ（幅）よりも小さく構成されており、可動体３３における中心軸Ｇ１方向一方寄りに形成された被当接部６３ａが、幅の小さいカム部材３３の凹部３３ｂ内に収容可能に構成されている。このように構成されているため、当接開始タイミングが一番遅く設定されているカム部材３３の内部に被当接部６３ａが収容される時間が長くなり、先に可動体６１，６２が動作したとしても、可動体６３の被当接部６３ａが幅の狭い凹部３３ｂ内で軸方向の動きを規制される形で、可動体６３及びカム部材３３が互いに位置決めされているため、カムユニット３０の中心軸Ｇ１方向の位置が安定的に維持されやすくなる（即ち、カムユニット３０が軸方向にずれにくくなる）。
【００４６】
ここで、可動体６１〜６９について詳述する。
各可動体６１〜６９は、いずれも長手状に構成されると共に長手方向一方側がケース２４に回動可能に支持されており、いずれもケース２４から外側に延び出た構成となっている。これら可動体６１〜６９は、図７、図９、図１０に示すように、軸部材１０１に連結される第１可動部６０ａと、軸部材１１１に連結される第２可動部６０ｂと、軸部材１２１に連結される第３可動部６０ｃとを備えており、これら第１可動部６０ａ、第２可動部６０ｂ、第３可動部６０ｃが同一の構成をなしている。従って、具体的構成については第１可動部６０ａを主として説明し、他の第２可動部６０ｂ、第３可動部６０ｃについては第１可動部６０ａと同一の構成として詳細な説明は省略する。
【００４７】
図７、図１０に示すように、第１可動部６０ａを構成する各可動体６１，６２，６３は、各カム部材３１，３２，３３に対応して設けられており、各カム部材３１，３２，３３の当接作用部３４，３５，３６の当接に応じて変位する構成をなしている。図７、図９に示すように、いずれの可動体６１，６２，６３も一端側に軸部材１０１が挿し通されることで回転可能状態で連結されており、この軸部材１０１がケース２４の所定位置に固定されることで、各可動体６１，６２，６３がケース２４において中心軸Ｇ１，Ｇ２，Ｇ３に沿った回動軸を中心として回動可能に保持されるようになっている（図１３、図１５、図１７参照）。各可動体６１，６２，６３は、ケース２４外に延出する側（先端部６１ｂ，６２ｂ，６３ｂ側）とは反対側（即ち基端側）において、軸部材１０１から所定方向（各先端部６１ｂ，６２ｂ，６３ｂとは反対側の方向）に突出する形態で各当接作用部３４，３５，３６の当接を受ける被作用部６１ａ，６２ａ，６３ａが形成されている。各可動体６１，６２，６３は、所定の反対方向（図１３では、反時計回り方向）側に規定位置（初期位置）まで回動したときに、各被作用部６１ａ，６２ａ，６３ａが各ストッパ１４１，１４２，１４３に当接するようになっており、これにより規定位置（初期位置）から前記反対方向に回動する動作が規制されるようになっている。そして、これら各可動体６１，６２，６３は、前記規定位置（初期位置）にある状態で各当接作用部３４，３５，３６によって各被作用部６１ａ，６２ａ，６３ａが側方に押し出されたときに、それぞれ所定の正方向（図１３では、時計回り方向）に回動するようになっている。
【００４８】
また、可動体６１，６２，６３の被当接部６１ａ，６２ａ，６３ａには、中心軸Ｇ１の方向に沿って貫通する確認孔６１ｃ，６２ｃ，６３ｃがそれぞれ形成されている。一方、上述したように、各可動体６１，６２，６３に作用するカム部材３１，３２，３３の側壁部３７，３８，３９にも、中心軸Ｇ１の方向に沿って貫通する確認孔３７ａ，３８ａ，３９ａがそれぞれ形成されている。そして、各可動体６１，６２，６３が所定の回動位置（具体的には、上述の初期位置）となるときには、可動体６１の被当接部６１ａが側壁部３７に対向するように収まると共に被当接部６１ａ及び側壁部３７のそれぞれの確認孔６１ｃ，３７ａが中心軸Ｇ１の方向に並び、同様に、可動体６２の被当接部６２ａが側壁部３８に対向するように収まると共に被当接部６２ａ及び側壁部３８のそれぞれの確認孔６２ｃ，３８ａが中心軸Ｇ１の方向に並び、更には、可動体６３の被当接部６３ａが側壁部３９に対向するように収まると共に被当接部６３ａ及び側壁部３９のそれぞれの確認孔６３ｃ，３９ａが中心軸Ｇ１の方向に並ぶようになっている。そして、このときには、図１０のように、歯車８１の確認孔８１ａ、各カム部材３１，３２，３３の各確認孔３７ａ，３８ａ，３９ａ、各可動体６１，６２，６３の各確認孔６１ｃ，６２ｃ，６３ｃが全て中心軸Ｇ１の方向に沿って並ぶようになっている。このように構成されているため、各可動体６１，６２，６３が上記所定回動位置にあり、カムユニット３０が所定の回転位置にあるときに、確認孔８１ａ，３７ａ，３８ａ，３９ａ，６１ｃ，６２ｃ，６３ｃを貫通させるように治具２０１を通すことができるようになっている（図１０参照）。
【００４９】
また、上述のように、各可動体６１，６２，６３は、図１０、図１１に示す初期位置（図３〜図６も参照）からは、前記正方向（図１３では時計回り方向）のみに回動するようになっており、各可動体６１，６２，６３が初期位置から当該正方向に回動したときには、それぞれを初期位置に戻そうとする付勢力が生じるようになっている。具体的には、各可動体６１，６２，６３の長手方向一端側にそれぞればね部材１３１，１３２，１３３が取り付けられており、図１０等に示す初期位置のときには、各可動体６１，６２，６３が各ストッパー１４１，１４２，１４３に当接すると共に、ばね部材１３１，１３２，１３３は、各可動体６１，６２，６３を各ストッパー１４１，１４２，１４３側に押し付ける方向にある程度付勢するようになっている。そして、各可動体６１，６２，６３がこの初期位置から前記正方向に回動したときには、各ばね部材１３１，１３２，１３３により、その回動方向とは反対方向へ付勢する付勢力が強まるようになっている。
【００５０】
この構成では、図１０に示す初期状態（待機状態）のように、カムユニット３０の回転位置が、各可動体６１，６２，６３に対して当接作用部３４，３５，３６が作用しない所定回転位置となっているときには、各可動体６１，６２，６３の各被作用部６１ａ，６２ａ，６３ａが各カム部材３１，３２，３３の各凹部３１ｂ，３２ｂ，３３ｂ内に収まると共に、各被作用部６１ａ，６２ａ，６３ａが中心軸Ｇ１の方向に並んで揃うようになっている（図１０、図１２参照）。なお、各凹部３１ｂ，３２ｂ，３３ｂは、各円筒部３１ａ，３２ａ，３３ａの周囲において当接作用部３４，３５，３６以外の領域に形成されるものであり、当接壁３４ｂ及び反対壁３４ｃを内壁として凹部３１ｂが形成され、当接壁３５ｂ及び反対壁３５ｃを内壁として凹部３２ｂが形成され、当接壁３６ｂ及び反対壁３６ｃを内壁として凹部３３ｂが形成されている。また、凹部３１ｂ，３２ｂ，３３ｂの内壁をなす当接壁３４ｂ，３５ｂ，３６ｂは、周方向において少しずつずれて配置されているため、図１０のような初期位置（待機位置）からカムユニット３０が回転すると、まず当接作用部３４の当接壁３４ｂが可動体６１の被作用部６１ａに当接して図１３、図１４のように作用し、１番目の可動体６１が倒れるよう動作する。カムユニット３０が図１３、図１４の回転位置から更に回転すると、次に当接作用部３５の当接壁３５ｂが可動体６２の被作用部６２ａに当接することとなり、これにより図１５、図１６のように作用し、２番目の可動体６２が倒れるように動作する。カムユニット３０が図１５、図１６の回転位置から更に回転すると、当接作用部３６の当接壁３６ｂが可動体６３の被作用部６３ａに当接し、これにより図１７、図１８のように作用して、３番目の可動体６３が倒れるように動作する。
【００５１】
また、図１１に示すように、カムユニット３０において各カム部材３１，３２，３３の反対壁３４ｃ，３５ｃ，３６ｃは周方向の位置が揃えられ、中心軸Ｇ１の方向に沿って反対壁３４ｃ，３５ｃ，３６ｃが並んで配置されている。従って、カムユニット３０が所定回転位置となったときに、各当接作用部３４，３５，３６による作用（当接）が一斉に解除され、このとき、各ばね部材１３１，１３２，１３３の付勢によって各可動体６１，６２，６３が初期位置に戻されることとなる。そして、各可動体６１，６２，６３の各被作用部６１ａ，６２ａ，６３ａは再び凹部３１ｂ，３２ｂ，３３ｂ内に収容され、図１０のように中心軸Ｇ１の方向に揃うようになっている。
【００５２】
なお、上記のようなカムユニット３０の回転方法はあくまで一例であり、図１７，図１８のように３つの可動体６１，６２，６３が倒れるまで回動した後に、カムユニット３０をそれまでとは反対方向に回転させることで（即ち、カムユニット３０が当該反対方向に回動するようにモータ２２を反対回転で駆動することにより）、各可動体６１，６２，６３を逆の順序（即ち、可動体６３，可動体６２，可動体６１の順序）で順番に起き上がらせるように初期位置に戻すこともできる。
【００５３】
なお、カムユニット３０は、上記のように反対壁３４ｃ，３５ｃ，３６ｃの周方向の位置が揃えられており、更に、凹部３１ｂの周方向の幅よりも凹部３２ｂの周方向の幅の方が大きく、凹部３２ｂの周方向の幅よりも凹部３３ｂの周方向の幅の方が大きくなっているため、上述したように、カムユニット３０の回転に応じて、最も幅の狭い凹部３１ｂに収まっている被作用部６１ａが最も早く当接壁３４ｂに当接し、その次に幅の狭い凹部３２ｂに収まっている被作用部６２ａが次に当接壁３５ｂに当接し、これらよりも幅の広い凹部３３ｂに収まっている被作用部６３ａがその後に当接壁３６ｂに当接することとなる。
【００５４】
次にカムユニット４０について説明する。このカムユニット４０は、図８、図１１に示すように、円柱状の３つのカム部材４１，４２，４３が中心軸Ｇ２の方向に並ぶ形態で一体的に連結された構成をなしており、全体として略円柱状に構成されている。各カム部材４１，４２，４３はいずれも、図１０、図１１に示す中心軸Ｇ２を中心として回転可能に構成されると共に、この中心軸Ｇ２を中心とする周方向の所定位置に当接作用部が形成され、且つ中心軸方向の一方寄りに半径方向に張り出す側壁部が形成されている。
【００５５】
図８、図１１に示すように、カム部材４１は、中心軸Ｇ２を中心として円筒状に構成される円筒部４１ａと、中心軸Ｇ１の周囲において周方向の所定位置に配置される当接作用部４４と、円筒部４１ａから半径方向に張り出す側壁部４７とを備えている。当接作用部４４は、カム部材４１が所定の回転位置となっているときに可動体６４（図１０等）に当接して作用する部分であり、円筒部４１ａの半径方向外側に膨出した構成をなしている。具体的には、円筒部４１ａの周囲を部分的に取り囲む断面円弧状の周壁部４４ａと、円筒部４１ａから半径方向に沿って延びる当接壁４４ｂと、円筒部４１ａから半径方向に沿って延びると共に当接壁４４ｂに対して所定の角度で配置される反対壁４４ｃとを備えている。また、カム部材４１において、中心軸Ｇ２の方向の一方寄り（歯車８２とは反対のカム部材４２側）には、中心の円筒部４１ａから半径方向に張り出す板状の側壁部４７が形成されている。この側壁部４７は、円板状に構成されると共に板面が中心軸Ｇ２とほぼ直交する構成で配置されており、当接作用部４４が設けられていない領域に板厚方向に貫通する確認孔４７ａが形成されている。また、周壁部４４ａは、側壁部４７の外周縁部の所定角度範囲において中心軸Ｇ２の方向に起立するように形成されており、この周壁部４４ａの周方向一端側には、側壁部４７から中心軸Ｇ２の方向に起立するように当接部４４ｂが形成され、周壁部４４ａの周方向他端側には、側壁部４７から中心軸Ｇ２の方向に起立するように反対壁３４ｃが形成されている。
【００５６】
また、カム部材４２は、中心軸Ｇ２を中心として円筒状に構成される円筒部４２ａと、中心軸Ｇ２の周囲において周方向の所定位置に配置される当接作用部４５と、円筒部４２ａから半径方向に張り出す側壁部４８とを備えている。当接作用部４５は、カム部材４２が所定の回転位置となっているときに可動体６５（図１０等）に当接して作用する部分であり、円筒部４２ａの半径方向外側に膨出した構成をなしている。具体的には、円筒部４２ａの周囲を部分的に取り囲む断面円弧状の周壁部４５ａと、円筒部４２ａから半径方向に沿って延びる当接壁４５ｂと、円筒部４２ａから半径方向に沿って延びると共に当接壁４５ｂに対して所定の角度で配置される反対壁４５ｃとを備えている。また、カム部材４２において、中心軸Ｇ２の方向の一方寄り（歯車８２とは反対のカム部材４３側）には、中心の円筒部４２ａから半径方向に張り出す板状の側壁部４８が形成されている。この側壁部４８は、円板状に構成されると共に板面が中心軸Ｇ２とほぼ直交する構成で配置されており、当接作用部４５が設けられていない領域に板厚方向に貫通する確認孔４８ａが形成されている。また、周壁部４５ａは、側壁部４８の外周縁部の所定角度範囲において中心軸Ｇ２の方向に起立するように形成されており、この周壁部４５ａの周方向一端側には、側壁部４８から中心軸Ｇ２の方向に起立するように当接部４５ｂが形成され、周壁部４５ａの周方向他端側には、側壁部４８から中心軸Ｇ２の方向に起立するように反対壁３５ｃが形成されている。
【００５７】
また、カム部材４３は、中心軸Ｇ２を中心として円筒状に構成される円筒部４３ａと、中心軸Ｇ２の周囲において周方向の所定位置に配置される当接作用部４６と、円筒部４３ａから半径方向に張り出す側壁部４９とを備えている。当接作用部４６は、カム部材４３が所定の回転位置となっているときに可動体６６（図１０等）に当接して作用する部分であり、円筒部４３ａの半径方向外側に膨出した構成をなしている。具体的には、円筒部４３ａの周囲を部分的に取り囲む断面円弧状の周壁部４６ａと、円筒部４３ａから半径方向に沿って延びる当接壁４６ｂと、円筒部４３ａから半径方向に沿って延びると共に当接壁４６ｂに対して所定の角度で配置される反対壁４６ｃとを備えている。また、カム部材４３において、中心軸Ｇ２の方向の一方寄り（歯車８２とは反対側）には、中心の円筒部４３ａから半径方向に張り出す板状の側壁部４９が形成されている。この側壁部４９は、円板状に構成されると共に板面が中心軸Ｇ２とほぼ直交する構成で配置されており、当接作用部４６が設けられていない領域に板厚方向に貫通する確認孔４９ａが形成されている。また、周壁部４６ａは、側壁部４９の外周縁部の所定角度範囲において中心軸Ｇ２の方向に起立するように形成されており、この周壁部４６ａの周方向一端側には、側壁部４９から中心軸Ｇ２の方向に起立するように当接部４６ｂが形成され、周壁部４６ａの周方向他端側には、側壁部４９から中心軸Ｇ２の方向に起立するように反対壁３６ｃが形成されている。
【００５８】
更に、上記カムユニット４０では、隣り合う２つのカム部材が互いに当接する構成で並んでいる。例えば、図７、図１１のように、隣り合う２つのカム部材４１、４２が互いに当接する構成で並んでおり、隣り合う２つのカム部材４２，４３についても互いに当接する構成で並んでいる。具体的には、隣り合う２つのカム部材４１、４２において、一方側のカム部材４１の側壁部４７が板状に構成され、当該一方側のカム部材４１の側壁部４７における外側の板面に対し、他方側のカム部材４２の側壁面（側壁部４８とは反対側の側壁面）が当接（押圧）された状態で固定されている。また、隣り合う２つのカム部材４２，４３において、一方側のカム部材４２の側壁部４８が板状に構成され、当該一方側のカム部材４２の側壁部４８における外側の板面に対し、他方側のカム部材４３の側壁面（側壁部４９とは反対側の側壁面）が当接（押圧）された状態で固定されている。なお、３つのカム部材４１，４２，４３は、ねじ等の締結部材によって互いに連結されるようになっており、図８の例では、カム部材４３に形成された軸方向の突出部４３ｃが、カム部材４２に形成された図示しない孔内に挿し通され、この突出部４３ｃと、カム部材４１の側壁部４７とがねじ部材８８ｂによって共締めされることにより、カム部材４１，４３の間にカム部材４２が挟まれた形態でこれらが一体的に固定されるようになっている。
【００５９】
このようにして連結されたカムユニット４０に対し、更に上記歯車８２が固定され、これにより一体的に回転する回転ユニット７２が構成されている。回転ユニット７２の両側には、円筒状の軸受部材９５，９８が嵌め込まれるようになっており、具体的には、歯車８２の中心部に形成された孔部８２ｃに軸受部材９５が嵌めこまれ、カム部材４３の中心部に形成された孔部（図示略）に軸受部材９８が嵌めこまれるようになっている（図１１も参照）。そして、これら軸受部材９５，９８及び各円筒部４１ａ，４２ａ，４３ａを貫通する構成で、棒状の軸部材９２が挿し込まれるようになっている（図８、図１０参照）。
【００６０】
また、このカムユニット４０も、図１１等に示すような正規位置で固定されているとき（即ち、各カム部材４１，４２，４３の各確認孔４７ａ，４８ａ，４９ａが中心軸Ｇ２の方向に並んで互いに固定されているとき）、各カム部材４１，４２，４３の当接作用部４４，４５，４６がそれぞれ中心軸Ｇ２回りの周方向において他のカム部材の当接作用部とずらされた所定位置に配置され、且つ、当該カムユニット４０の回転時に、各カム部材４１，４２，４３の当接作用部４４，４５，４６が各可動体６４，６５，６６それぞれに作用する当接開始タイミングと、他のカム部材の当接作用部が可動体に作用する当接開始タイミングとが異なるように設定されている。
【００６１】
具体的には、当接作用部４４の端部をなす当接壁４４ｂが、周方向において他のカム部材４２，４３の各当接作用部４５，４６の端部をなす各当接壁４５ｂ，４６ｂに対して周方向にずらされて配置されており、図３〜図６に示すような初期状態（待機状態）から回転ユニット７２が回転したときに当接作用部４４の当接壁４４ｂが可動体６４（図１０等）に当接する当接開始タイミングと、他の当接壁４５ｂ，４６ｂが可動体６５，６６にそれぞれ当接する当接開始タイミングとが異なるように設定されている。同様に、当接作用部４５の当接壁４５ｂが可動体６５に当接する当接開始タイミングと、他の当接壁４４ｂ，４６ｂが可動体６４，６６にそれぞれ当接する当接開始タイミングとが異なるように設定され、更に、当接作用部４６の当接壁４６ｂが可動体６６に当接する当接開始タイミングと、他の当接壁４４ｂ，４５ｂが可動体６４，６５にそれぞれ当接する当接開始タイミングとが異なるように設定されている。
【００６２】
先に述べたように、第２可動部６０ｂは上述の第１可動部６０ａと同様の構成をなしており、図３、図４、図７等に示すように、第１可動部６０ａと同様にケース２４に保持されている。この構成では、図１０に示す初期状態（待機状態）のように、カムユニット４０の回転位置が、各可動体６４，６５，６６に対して当接作用部４４，４５，４６が作用しない所定回転位置となっているときには、各可動体６４，６５，６６の各被作用部６４ａ，６５ａ，６６ａが各カム部材４１，４２，４３の各凹部４１ｂ，４２ｂ，４３ｂ内に収まると共に、各被作用部６４ａ，６５ａ，６６ａが中心軸Ｇ２の方向に並んで揃うようになっている（図１０、図１２参照）。なお、各凹部４１ｂ，４２ｂ，４３ｂは、各円筒部４１ａ，４２ａ，４３ａの周囲において当接作用部４４，４５，４６以外の領域に形成されるものであり、当接壁４４ｂ及び反対壁４４ｃを内壁として凹部４１ｂが形成され、当接壁４５ｂ及び反対壁４５ｃを内壁として凹部４２ｂが形成され、当接壁４６ｂ及び反対壁４６ｃを内壁として凹部４３ｂが形成されている。また、凹部４１ｂ，４２ｂ，４３ｂの内壁をなす当接壁４４ｂ，４５ｂ，４６ｂは、周方向において少しずつずれて配置されているため、図１０のような初期位置（待機位置）からカムユニット４０が回転すると、まず当接作用部４４の当接壁４４ｂが可動体６４の被作用部６４ａに当接して４番目の可動体６４が倒れるよう動作する（可動体６１の倒れ方（図１３）と同様の動作であるため、図１３等を参照）。その回転位置から更に回転すると、次に当接作用部４５の当接壁４５ｂが可動体６５の被作用部６５ａに当接することとなり、これにより５番目の可動体６５が倒れるように動作する（可動体６２の倒れ方（図１５）と同様の動作であるため、図１５等を参照）。その回転位置から更に回転すると、当接作用部４６の当接壁４６ｂが可動体６６の被作用部６６ａに当接し、これにより６番目の可動体６６が倒れるように動作する（可動体６２の倒れ方（図１７）と同様の動作であるため、図１７等を参照）。
【００６３】
また、図１１に示すように、カムユニット４０において各カム部材４１，４２，４３の反対壁４４ｃ，４５ｃ，４６ｃは周方向の位置が揃えられ、中心軸Ｇ２の方向に沿って反対壁４４ｃ，４５ｃ，４６ｃが並んで配置されている。従って、カムユニット４０が所定回転位置となったときに、各当接作用部４４，４５，４６による作用（当接）が一斉に解除され、このとき、可動体６４，６５，６６に設けられた各ばね部材の付勢によって各可動体６４，６５，６６が初期位置に戻されることとなる。そして、各可動体６４，６５，６６の各被作用部６４ａ，６５ａ，６６ａは再び凹部４１ｂ，４２ｂ，４３ｂ内に収容され、図１０のように中心軸Ｇ２の方向（中心軸Ｇ１とほぼ平行な方向）に揃うようになっている。
【００６４】
また、カムユニット４０も、上記のように反対壁４４ｃ，４５ｃ，４６ｃの周方向の位置が揃えられており、更に、凹部４１ｂの周方向の幅よりも凹部４２ｂの周方向の幅の方が大きく、凹部４２ｂの周方向の幅よりも凹部４３ｂの周方向の幅の方が大きくなっているため、上述したように、カムユニット４０の回転に応じて、最も幅の狭い凹部４１ｂに収まっている被作用部６４ａが最も早く当接壁４４ｂに当接し、その次に幅の狭い凹部４２ｂに収まっている被作用部６５ａが次に当接壁４５ｂに当接し、これらよりも幅の広い凹部４３ｂに収まっている被作用部６６ａがその後に当接壁４６ｂに当接することとなる。
【００６５】
また、本実施形態では、カムユニット４０の各当接作用部４４，４５，４６による作用（当接）が解除されるタイミング（即ち、可動体６４，６５，６６の各被作用部６４ａ,６４ｂ，６４ｃが各凹部４１ｂ，４２ｂ，４３ｂに入るタイミング）と、上述したカムユニット３０の各当接作用部３４，３５，３６による作用（当接）が解除されるタイミング（即ち、可動体６１，６２，６３の各被作用部６１ａ，６２ａ，６３ａが各凹部３１ｂ，３２ｂ，３３ｂに入るタイミング）とがほぼ同タイミングとなっている。そして、カム部材３３の凹部３３ｂの周方向の幅よりもカム部材４１の凹部４１ｂの周方向の幅の方が大きくなっており（即ち、当接壁３６ｂと反対壁３６ｃとのなす角度よりも、当接壁４４ｂと反対壁４４ｃとのなす角度の方が大きくなっており）、当接作用部４４の当接壁４４ｂが可動体６４に当接する当接開始タイミングが、当接作用部３６の当接壁３６ｂが可動体６３に当接する当接開始タイミングよりも遅れるようになっているため、図１７、図１８のように可動体６１，６２，６３が動作した後に、可動体６４が初期位置から倒れる動作が開始することとなる。そして、可動体６１，６２，６３の動作（図１３〜図１８）と同様に、可動体６４，６５，６６が順番に倒れるように動作がなされる。
【００６６】
次にカムユニット５０について説明する。このカムユニット５０も、図７、図８に示すように、円柱状の３つのカム部材５１，５２，５３が中心軸Ｇ３の方向に並ぶ形態で一体的に連結された構成をなしており、全体として略円柱状に構成されている。各カム部材５１〜５３はいずれも、図１０、図１１に示す中心軸Ｇ３を中心として回転可能に構成されると共に、この中心軸Ｇ３を中心とする周方向の所定位置に当接作用部が形成され、且つ中心軸方向の一方寄りに半径方向に張り出す側壁部が形成されている。
【００６７】
図８等に示すように、カム部材５１は、中心軸Ｇ３を中心として円筒状に構成される円筒部５１ａと、中心軸Ｇ３の周囲において周方向の所定位置に配置される当接作用部５４と、円筒部５１ａから半径方向に張り出す側壁部５７とを備えている。当接作用部５４は、カム部材５１が所定の回転位置となっているときに可動体６７（図１０等）に当接して作用する部分であり、円筒部５１ａの半径方向外側に膨出した構成をなしている。具体的には、円筒部５１ａの周囲を部分的に取り囲む断面円弧状の周壁部５４ａと、円筒部５１ａから半径方向に沿って延びる当接壁５４ｂと、円筒部５１ａから半径方向に沿って延びると共に当接壁５４ｂに対して所定の角度で配置される反対壁５４ｃとを備えている。また、カム部材５１において、中心軸Ｇ３の方向の一方寄り（歯車８３とは反対のカム部材５２側）には、中心の円筒部５１ａから半径方向に張り出す板状の側壁部５７が形成されている。この側壁部５７は、円板状に構成されると共に板面が中心軸Ｇ３とほぼ直交する構成で配置されており、円筒部５１ａの周囲における当接作用部５４が設けられていない領域に板厚方向に貫通する確認孔５７ａが形成されている。また、周壁部５４ａは、側壁部５７の外周縁部の所定角度範囲において中心軸Ｇ３の方向に起立するように形成されており、この周壁部５４ａの周方向一端側には、側壁部５７から中心軸Ｇ３の方向に起立するように当接部５４ｂが形成され、周壁部５４ａの周方向他端側には、側壁部５７から中心軸Ｇ３の方向に起立するように反対壁５４ｃが形成されている。
【００６８】
また、カム部材５２は、中心軸Ｇ３を中心として円筒状に構成される円筒部５２ａと、中心軸Ｇ３の周囲において周方向の所定位置に配置される当接作用部５５と、円筒部５２ａから半径方向に張り出す側壁部５８とを備えている。当接作用部５５は、カム部材５２が所定の回転位置となっているときに可動体６８（図１０等）に当接して作用する部分であり、円筒部５２ａの半径方向外側に膨出した構成をなしている。具体的には、円筒部５２ａの周囲を部分的に取り囲む断面円弧状の周壁部５５ａと、円筒部５２ａから半径方向に沿って延びる当接壁５５ｂと、円筒部５２ａから半径方向に沿って延びると共に当接壁５５ｂに対して所定の角度で配置される反対壁５５ｃとを備えている。また、カム部材５２において、中心軸Ｇ３の方向の一方寄り（歯車８３とは反対のカム部材５３側）には、中心の円筒部５２ａから半径方向に張り出す板状の側壁部５８が形成されている。この側壁部５８は、円板状に構成されると共に板面が中心軸Ｇ３とほぼ直交する構成で配置されており、当接作用部５５が設けられていない領域に板厚方向に貫通する確認孔５８ａが形成されている。また、周壁部５５ａは、側壁部５８の外周縁部の所定角度範囲において中心軸Ｇ３の方向に起立するように形成されており、この周壁部５５ａの周方向一端側には、側壁部５８から中心軸Ｇ３の方向に起立するように当接部５５ｂが形成され、周壁部５５ａの周方向他端側には、側壁部５８から中心軸Ｇ３の方向に起立するように反対壁５５ｃが形成されている。
【００６９】
また、カム部材５３は、中心軸Ｇ３を中心として円筒状に構成される円筒部５３ａと、中心軸Ｇ３の周囲において周方向の所定位置に配置される当接作用部５６と、円筒部５３ａから半径方向に張り出す側壁部５９とを備えている。当接作用部５６は、カム部材５３が所定の回転位置となっているときに可動体６９（図１０等）に当接して作用する部分であり、円筒部５３ａの半径方向外側に膨出した構成をなしている。具体的には、円筒部５３ａの周囲を部分的に取り囲む断面円弧状の周壁部５６ａと、円筒部５３ａから半径方向に沿って延びる当接壁５６ｂと、円筒部５３ａから半径方向に沿って延びると共に当接壁５６ｂに対して所定の角度で配置される反対壁５６ｃとを備えている。また、カム部材５３において、中心軸Ｇ３の方向の一方寄り（歯車８３とは反対側）には、中心の円筒部５３ａから半径方向に張り出す板状の側壁部５９が形成されている。この側壁部５９は、円板状に構成されると共に板面が中心軸Ｇ３とほぼ直交する構成で配置されており、当接作用部５６が設けられていない領域に板厚方向に貫通する確認孔５９ａが形成されている。
【００７０】
更に、上記カムユニット５０では、隣り合う２つのカム部材が互いに当接する構成で並んでいる。例えば、図７、図１１のように、隣り合う２つのカム部材５１、５２が互いに当接する構成で並んでおり、隣り合う２つのカム部材５２、５３についても互いに当接する構成で並んでいる。具体的には、隣り合う２つのカム部材５１、５２において、一方側のカム部材５１の側壁部５７が板状に構成され、当該一方側のカム部材５１の側壁部５７における外側の板面に対し、他方側のカム部材５２の側壁面（側壁部５８とは反対側の側壁面）が当接（押圧）された状態で固定されている。また、隣り合う２つのカム部材５２、５３において、一方側のカム部材５２の側壁部５８が板状に構成され、当該一方側のカム部材５２の側壁部５８における外側の板面に対し、他方側のカム部材５３の側壁面（側壁部５９とは反対側の側壁面）が当接（押圧）された状態で固定されている。なお、３つのカム部材５１，５２，５３は、ねじ等の締結部材によって互いに連結されるようになっており、図８の例では、カム部材５３に形成された軸方向の突出部５３ｃが、カム部材５２に形成された図示しない孔内に挿し通され、この突出部５３ｃと、カム部材５１の側壁部５７とがねじ部材８８ｃによって共締めされることにより、カム部材５１，５３の間にカム部材５２が挟まれた形態でこれらが一体的に固定されるようになっている。
【００７１】
このようにして連結されたカムユニット５０に対し、更に上記歯車８３が固定され、これにより一体的に回転する回転ユニット７３が構成されている。回転ユニット７３の両側には、円筒状の軸受部材９６，９９が嵌め込まれるようになっており、具体的には、歯車８３の中心部に形成された孔部８３ｃに軸受部材９６が嵌めこまれ、カム部材５３の中心部に形成された孔部（図示略）に軸受部材９９が嵌めこまれるようになっている（図１１も参照）。そして、これら軸受部材９６，９９及び各円筒部５１ａ，５２ａ，５３ａを貫通する構成で、棒状の軸部材９３が挿し込まれるようになっている（図８、図１０参照）。
【００７２】
また、このカムユニット５０も、図１１等に示すような正規位置で固定されているとき（即ち、各カム部材５１，５２，５３の各確認孔５７ａ，５８ａ，５９ａが中心軸Ｇ３の方向に並んで互いに固定されているとき）、各カム部材５１，５２，５３の当接作用部５４，５５，５６がそれぞれ中心軸Ｇ３回りの周方向において他のカム部材の当接作用部とずらされた所定位置に配置され、且つ、当該カムユニット５０の回転時に、各カム部材５１，５２，５３の当接作用部５４，５５，５６が各可動体６７，６８，６９それぞれに作用する当接開始タイミングと、他のカム部材の当接作用部が可動体に作用する当接開始タイミングとが異なるように設定されている。
【００７３】
具体的には、当接作用部５４の端部をなす当接壁５４ｂが、周方向において他のカム部材５２，５３の各当接作用部５５，５６の端部をなす各当接壁５５ｂ，５６ｂに対して周方向にずらされて配置されており、図３〜図６に示すような初期状態（待機状態）から回転ユニット７３が回転したときに当接作用部５４の当接壁５４ｂが可動体６７（図１０等）に当接する当接開始タイミングと、他の当接壁５５ｂ，５６ｂが可動体６８，６９にそれぞれ当接する当接開始タイミングとが異なるように設定されている。同様に、当接作用部５５の当接壁５５ｂが可動体６８に当接する当接開始タイミングと、他の当接壁５４ｂ，５６ｂが可動体６７，６９にそれぞれ当接する当接開始タイミングとが異なるように設定され、更に、当接作用部５６の当接壁５６ｂが可動体６９に当接する当接開始タイミングと、他の当接壁５４ｂ，５５ｂが可動体６７，６８にそれぞれ当接する当接開始タイミングとが異なるように設定されている。
【００７４】
先に述べたように、第３可動部６０ｃは上述の第１可動部６０ａ、第２可動部６０ｂと同様の構成をなしており、図３、図４、図７等に示すように、第１可動部６０ａ、第２可動部６０ｂと同様にケース２４に保持されている。この構成では、図１０に示す初期状態（待機状態）のように、カムユニット５０の回転位置が、各可動体６７，６８，６９に対して当接作用部５４，５５，５６が作用しない所定回転位置となっているときには、各可動体６７，６８，６９の各被作用部６７ａ，６８ａ，６９ａが各カム部材５１，５２，５３の各凹部５１ｂ，５２ｂ，５３ｂ内に収まると共に、各被作用部６７ａ，６８ａ，６９ａが中心軸Ｇ３の方向に並んで揃うようになっている（図１０、図１２参照）。
【００７５】
なお、図１１等に示す各凹部５１ｂ，５２ｂ，５３ｂは、各円筒部５１ａ，５２ａ，５３ａ（図８等）の周囲において当接作用部５４，５５，５６以外の領域に形成されるものであり、当接壁５４ｂ及び反対壁５４ｃを内壁として凹部５１ｂが形成され、当接壁５５ｂ及び反対壁５５ｃを内壁として凹部５２ｂが形成され、当接壁５６ｂ及び反対壁５６ｃを内壁として凹部５３ｂが形成されている。また、凹部５１ｂ，５２ｂ，５３ｂの内壁をなす当接壁５４ｂ，５５ｂ，５６ｂは、周方向において少しずつずれて配置されているため、図１０のような初期位置（待機位置）からカムユニット５０が回転すると、まず当接作用部５４の当接壁５４ｂが可動体６７の被作用部６７ａに当接して７番目の可動体６７が倒れるよう動作する（可動体６１の倒れ方（図１３）と同様の動作であるため、図１３等を参照）。その回転位置から更に回転すると、次に当接作用部５５の当接壁５５ｂが可動体６８の被作用部６８ａに当接することとなり、これにより８番目の可動体６８が倒れるように動作する（可動体６２の倒れ方（図１５）と同様の動作であるため、図１５等を参照）。その回転位置から更に回転すると、当接作用部５６の当接壁５６ｂが可動体６９の被作用部６９ａに当接し、これにより９番目の可動体６９が倒れるように動作する（可動体６２の倒れ方（図１７）と同様の動作であるため、図１７等を参照）。
【００７６】
また、図１１に示すように、カムユニット５０において各カム部材５１，５２，５３の反対壁５４ｃ，５５ｃ，５６ｃは周方向の位置が揃えられ、中心軸Ｇ３の方向に沿って反対壁５４ｃ，５５ｃ，５６ｃが並んで配置されている。従って、カムユニット５０が所定回転位置となったときに、各当接作用部５４，５５，５６による作用（当接）が一斉に解除され、このとき、可動体６７，６８，６９に設けられた各ばね部材の付勢によって各可動体６７，６８，６９が初期位置に戻されることとなる。そして、各可動体６７，６８，６９の各被作用部６７ａ，６８ａ，６９ａは再び凹部５１ｂ，５２ｂ，５３ｂ内に収容され、図１０のように中心軸Ｇ３の方向（中心軸Ｇ１とほぼ平行な方向）に揃うようになっている。
【００７７】
また、カムユニット５０も、上記のように反対壁５４ｃ，５５ｃ，５６ｃの周方向の位置が揃えられており、更に、凹部５１ｂの周方向の幅よりも凹部５２ｂの周方向の幅の方が大きく（即ち、当接壁５４ｂと反対壁５４ｃとのなす角度よりも、当接壁５５ｂと反対壁５５ｃとのなす角度の方が大きく）、凹部５２ｂの周方向の幅よりも凹部５３ｂの周方向の幅の方が大きくなっているため（即ち、当接壁５５ｂと反対壁５５ｃとのなす角度よりも、当接壁５６ｂと反対壁５６ｃとのなす角度の方が大きくなっているため）、上述したように、カムユニット５０の回転に応じて、最も幅の狭い凹部５１ｂに収まっている被作用部６７ａが最も早く当接壁５４ｂに当接し、その次に幅の狭い凹部５２ｂに収まっている被作用部６８ａが次に当接壁５５ｂに当接し、これらよりも幅の広い凹部５３ｂに収まっている被作用部６９ａがその後に当接壁５６ｂに当接することとなる。
【００７８】
また、本実施形態では、カムユニット４０の各当接作用部５４，５５，５６による作用（当接）が解除されるタイミング（即ち、可動体６７，６８，６９の各被作用部６７ａ,６８ｂ，６９ｃが各凹部５１ｂ，５２ｂ，５３ｂに入るタイミング）が、上述したカムユニット４０の各当接作用部４４，４５，４６による作用（当接）が解除されるタイミング（即ち、可動体６４，６５，６６の各被作用部６４ａ，６５ａ，６６ａが各凹部４１ｂ，４２ｂ，４３ｂに入るタイミング）とほぼ同タイミングとなっている。そして、カム部材４３の凹部４３ｂの周方向の幅よりもカム部材５１の凹部５１ｂの周方向の幅の方が大きくなっており（即ち、当接壁４６ｂと反対壁４６ｃとのなす角度よりも、当接壁５４ｂと反対壁５４ｃとのなす角度の方が大きくなっており）、当接作用部５４の当接壁５４ｂが可動体６７に当接する当接開始タイミングが、当接作用部４６の当接壁４６ｂが可動体６６に当接する当接開始タイミングよりも遅れるようになっているため、可動体６１，６２，６３が動作してその後に可動体６４，６５，６６が動作した後に、可動体６７が初期位置から倒れる動作が開始することとなる。そして、可動体６１，６２，６３の動作（図１３〜図１８）と同様に、可動体６７，６８，６９が順番に倒れるように動作がなされる。
【００７９】
（組み付け及び位置合わせのための特徴構成）
本発明に係る遊技機用可動演出装置２０は、上述したように、各カム部材の側壁部及び伝達部材において、中心軸の方向に貫通した確認孔が形成されているため、カム部材に対して伝達部材が規定の取付位置に配置されたときに、側壁部に形成された確認孔と伝達部材に形成された確認孔とが中心軸の方向に並ぶ位置合わせ状態となり、その位置合わせ状態でカム部材に対して伝達部材が固定されるようになっている。
【００８０】
具体的には、３つのカム部材３１，３２，３３が中心軸Ｇ１の方向に並んで一体的に連結されるカムユニット３０では、図１１のように、各カム部材３１，３２，３３に設けられた側壁部３７，３８，３９にそれぞれ確認孔３７ａ，３８ａ，３９ａが形成され、それら確認孔３７ａ，３８ａ，３９ａが中心軸Ｇ１の方向に並ぶ状態でこれら３つのカム部材３１，３２，３３が互いに固定されるようになっている。そして、カムユニット３０に対して歯車８１が所定位置に配置されたときに、各カム部材３１，３２，３３に形成された各確認孔３７ａ，３８ａ，３９ａと歯車８１に形成された確認孔８１ａとが中心軸Ｇ１の方向に並んで位置合わせ状態となり、その位置合わせ状態でカムユニット３０に対して歯車８１が固定されるようになっている。このように構成される回転ユニット７１では、各確認孔３７ａ，３８ａ，３９ａ，８１ａに治具２０１を挿し通すことで、回転ユニット７１が正しい部品によって構成されているか否かの確認を行うことができ、且つ各カム部材３１，３２，３３及び歯車８１の正確な位置合わせを行うことができる。
【００８１】
また、カムユニット３０と並列に配置されるカムユニット４０も同様であり、図１１のように、各カム部材４１，４２，４３に設けられた側壁部４７，４８，４９にそれぞれ確認孔４７ａ，４８ａ，４９ａが形成され、それら確認孔４７ａ，４８ａ，４９ａが中心軸Ｇ２（中心軸Ｇ１とほぼ平行な中心軸）の方向に並ぶ状態でこれら３つのカム部材４１，４２，４３が互いに固定されるようになっている。そして、カムユニット４０に対して歯車８２が所定位置に配置されたときに、各カム部材４１，４２，４３に形成された各確認孔４７ａ，４８ａ，４９ａと歯車８２に形成された確認孔８２ａとが中心軸Ｇ２の方向に並んで位置合わせ状態となり、その位置合わせ状態でカムユニット４０に対して歯車８２が固定されるように構成されている。この回転ユニット７２でも、各確認孔４７ａ，４８ａ，４９ａ，８２ａに治具２０２を挿し通すことで、回転ユニット７２が正しい部品によって構成されているか否かの確認を行うことができ、且つ各カム部材４１，４２，４３及び歯車８２の正確な位置合わせを行うことができる。
【００８２】
また、カムユニット３０，４０と並列に配置されるカムユニット５０も同様であり、図１１のように、各カム部材５１，５２，５３に設けられた側壁部５７，５８，５９にそれぞれ確認孔５７ａ，５８ａ，５９ａが形成され、それら確認孔５７ａ，５８ａ，５９ａが中心軸Ｇ３（中心軸Ｇ１とほぼ平行な中心軸）の方向に並ぶ状態でこれら３つのカム部材５１，５２，５３が互いに固定されるようになっている。そして、カムユニット５０に対して歯車８３が所定位置に配置されたときに、各カム部材５１，５２，５３に形成された各確認孔５７ａ，５８ａ，５９ａと歯車８３に形成された確認孔８３ａとが中心軸Ｇ３の方向に並んで位置合わせ状態となり、その位置合わせ状態でカムユニット５０に対して歯車８３が固定されるように構成されている。この回転ユニット７３でも、各確認孔５７ａ，５８ａ，５９ａ，８３ａに治具２０３を挿し通すことで、回転ユニット７３が正しい部品によって構成されているか否かの確認を行うことができ、且つ各カム部材５１，５２，５３及び歯車８３の正確な位置合わせを行うことができる。
【００８３】
また、本実施形態に係る遊技機用可動演出装置２０は、図３、図４、図７のように、ケース２４において、回転ユニット７１，７２，７３の側部と対向する位置に貫通孔２５ａ，２５ｂ，２５ｃ，２６ａ，２６ｂ，２６ｃが形成されており、各回転ユニット７１，７２，７３が所定の回転位置のときに、カム部材及び伝達部材の確認孔と、ケース２４の貫通孔とが各中心軸Ｇ１，Ｇ２，Ｇ３の方向に並ぶように構成されている。
【００８４】
ケース２４は、回転ユニット７１，７２，７３における各中心軸Ｇ１，Ｇ２，Ｇ３の方向の一方側を支持する第１壁部２５と、他方側を支持する第２壁部２６とによって構成されており、第１壁部２５に貫通孔２５ａ，２５ｂ，２５ｃが形成され、第２壁部２６に貫通孔２６ａ，２６ｂ，２６ｃが形成されている。
【００８５】
具体的には、第１壁部２５において回転ユニット７１と対向する位置に貫通孔２５ａが形成され、第２壁部２６において、回転ユニット７１と対向する位置に貫通孔２６ａが形成されている。そして、回転ユニット７１が、所定の回転位置（図３、図４、図１０に示す初期位置（待機位置））のときに、回転ユニット７１の各確認孔３７ａ，３８ａ，３９ａ，８１ａと、第１壁部２５及び第２壁部２６の貫通孔２５ａ，２６ａが中心軸Ｇ１の方向に並び、図２６〜図２８のようにこれら確認孔３７ａ，３８ａ，３９ａ，８１ａ及び貫通孔２５ａ，２６ａを貫通するように治具２０１を挿し通すことができるように構成されている。
【００８６】
また、第１壁部２５において回転ユニット７２と対向する位置に貫通孔２５ｂが形成され、第２壁部２６において、回転ユニット７２と対向する位置に貫通孔２６ｂが形成されている。そして、回転ユニット７２が、所定の回転位置（図３、図４、図１０に示す初期位置（待機位置））のときに、回転ユニット７２の各確認孔４７ａ，４８ａ，４９ａ，８２ａと、第１壁部２５及び第２壁部２６の貫通孔２５ｂ，２６ｂが中心軸Ｇ２の方向に並び、図２６〜図２８のようにこれら確認孔４７ａ，４８ａ，４９ａ，８２ａ及び貫通孔２５ｂ，２６ｂを貫通するように治具２０２を挿し通すことができるように構成されている。
【００８７】
また、第１壁部２５において回転ユニット７３と対向する位置に貫通孔２５ｃが形成され、第２壁部２６において、回転ユニット７３と対向する位置に貫通孔２６ｃが形成されている。そして、回転ユニット７３が、所定の回転位置（図３、図４、図１０に示す初期位置（待機位置））のときに、回転ユニット７３の各確認孔５７ａ，５８ａ，５９ａ，８３ａと、第１壁部２５及び第２壁部２６の貫通孔２５ｃ，２６ｃが中心軸Ｇ３の方向に並び、図２６〜図２８のようにこれら確認孔５７ａ，５８ａ，５９ａ，８３ａ及び貫通孔２５ｃ，２６ｃを貫通するように治具２０３を挿し通すことができるように構成されている。
【００８８】
次に、図１９〜図２９を参照して、上記遊技機用可動演出装置２０の組み立て方の一例を説明する。なお、以下に示す組み立て方はあくまで一例であり、上述の遊技機用可動演出装置２０を構成し得る組み立て方であれば他の方法を用いても良いことは言うまでもない。
【００８９】
まず、図１９のように、ケース２４の一方をなす第１ケース体２４ａを用意し、例えば、第１壁部２５の板面を水平方向に沿って配置する。そして、図２０のように、第１ケース体２４ａの内壁側に形成された穴部２５ｄ，２５ｅに対して、回転ユニット７５（図１１等）を保持する軸部材９１及び第１可動部６０ａ（図７等）を保持する軸部材１０１をそれぞれ挿入する。また、第１ケース体２４ａの内壁側に形成された穴部２５ｆに、ばね部材１３１，１３２，１３３（図９等）の一端側を支持する軸部材１０２を挿入する。本実施形態では、各軸部材９１，１０１，１０２が各穴部２５ｄ，２５ｅ，２５ｆと嵌合したときに、第１壁部２５の板面に対して各軸部材９１，１０１，１０２がほぼ直交する方向に延びるようになっている。
【００９０】
図２０のように配置した後には、図２１のように、軸部材１０１を１番目の可動体６１の一端側に挿し通すように配置し、更に、ばね部材１３１を可動体６１及び軸部材１０２にそれぞれ取り付ける。このとき、軸部材１０２を挿通する形態でストッパ１４１を第１ケース体２４ａに固定する。ばね部材１３１は一端部が可動体６１の長手方向一端側に取り付けられ、他端部が軸部材１０２に形成された溝部１０２ａに引っ掛けられる。これにより、ばね部材１３１の他端部がケース２４に固定されることとなり、可動体６１の回動に応じて伸び縮みすることとなる。
【００９１】
図２１のように配置した後には、可動体６１及びばね部材１３１と同様の方法で、可動体６２、ばね部材１３２、ストッパ１４２を取り付け、更に、同様の方法で可動体６３、ばね部材１３３、ストッパ１４３を取り付ける（図２２参照）。このとき、ばね部材１３２は、一端部が可動体６２の長手方向一端側に取り付けられ、他端部が軸部材１０２に形成された溝部１０２ｂ（図２０）に引っ掛けられる。また、ばね部材１３３も同様であり、一端部が可動体６３の長手方向一端側に取り付けられ、他端部が軸部材１０２に形成された溝部１０２ｃ（図２０）に引っ掛けられる。
【００９２】
図２２のように配置した後には、図２３のように、回転ユニット７１の中心部に軸部材９１を挿し通すようにして回転ユニット７１を取り付ける。なお、回転ユニット７１は予め図８のような各部品が組み付けられて一体化されており、この一体化させる組み付けの際には、図１１のように、各確認孔３７ａ，３８ａ，３９ａ，８１ａに治具２０１を挿し通して位置合わせしながら各部品を互いに固定することができる。そして、このように一体化された回転ユニット７１を図２３のように配置することで、回転ユニット７１がケース２４に回転可能に保持されることとなる。なお、回転ユニット７１を取り付ける際には、可動体６１，６２，６３を回動させて被作用部６１ａ，６２ａ，６３ａが側壁部３７，３８，３９に干渉しないように、側方に退避させた状態で回転ユニット７１を軸部材９１に挿し通す。そして、このように回転ユニット７１を取り付けたあとに可動体６１，６２，６３を初期位置に戻せば、凹部３１ｂ，３２ｂ，３３ｂに被作用部６１ａ，６２ａ，６３ａが収容される形で、問題なく可動体６１，６２，６３を初期位置に設定することができる。
【００９３】
このようにして軸部材９１，１０１，１０２，第１可動部６０ａ，ばね部材１３１，１３２，１３３，回転ユニット７１を装着した後には、これと同様の方法で、軸部材９２，１１１，１１２，第１可動部６０ｂ，第１可動部６０ｂにそれぞれ取り付けられる各ばね部材（ばね部材１３１，１３２，１３３と同様のばね部材：図示略），回転ユニット７２を取り付ける（図２４参照）。また、同様に、軸部材９３，１２１，１２２，第１可動部６０ｃ，第１可動部６０ｂｃそれぞれ取り付けられる各ばね部材（ばね部材１３１，１３２，１３３と同様のばね部材：図示略），回転ユニット７３を取り付ける（図２４参照）。
【００９４】
図２４のように配置した後には、図２５のように第１ケース体２４ａに対して第２ケース体２４ｂを固定する。このとき、第２ケース体２４ｂの内側に形成された各穴１８１〜１８９（図７参照）に各軸部材９１，９２，９３，１０１，１０２,１１１,１１２，１２１，１２２の端部が挿入されてそれぞれ回転可能に支持される。なお、ストッパ１４１、１４２，１４３は、ストッパ１４１とストッパ１４２とが軸方向に並んで互いに嵌合し、ストッパ１４２とストッパ１４３とが軸方向に並んで互いに嵌合するようになっており、ストッパ１４１が、ねじ部材（図示略）によって第１ケース体２４ａに固定され、ストッパ１４３が、ねじ部材１９１によって第２ケース体２４ｂに固定されるようになっている。
【００９５】
図２５のように配置した後には、図２６のように各治具２０１，２０２，２０３を挿入して各回転ユニット７１，７２，７３の角度を位置合わせする。本実施形態では、貫通孔２５ａ，２６ａが、回転ユニット７１の中心軸Ｇ１の方向に並んで配置されているため、回転ユニット７１の各確認孔３７ａ，３８ａ，３９ａ，８１ａがこれら貫通孔２５ａ，２６ａと並ぶように回転ユニット７１の回転角度を調整することにより、治具２０１を挿し通すことができるようになる。同様に、貫通孔２５ｂ，２６ａｂ、回転ユニット７２の中心軸Ｇ２の方向に並んで配置されているため、回転ユニット７２の各確認孔４７ａ，４８ａ，４９ａ，８２ａがこれら貫通孔２５ｂ，２６ｂと並ぶように回転ユニット７２の回転角度を調整することにより、治具２０２を挿し通すことができるようになる。また、貫通孔２５ｃ，２６ｃが、回転ユニット７３の中心軸Ｇ３の方向に並んで配置されているため、回転ユニット７３の各確認孔５７ａ，５８ａ，５９ａ，８３ａがこれら貫通孔２５ｃ，２６ｃと並ぶように回転ユニット７３の回転角度を調整することにより、治具２０３を挿し通すことができるようになる。
【００９６】
そして、図２６のように各治具２０１，２０２，２０３を挿し通した状態で、各歯車８１，８２，８３に対して各中間歯車８５，８６を噛み合わせるように配置する（図２７参照）。この中間歯車８５，８６は、第１ケース体２４ａの第１壁部２５の内側に形成された各穴部２５ｇ，２５ｈ（図１９等）に各歯車８５，８６の中心軸部が挿入されることで、第１ケース体２４ａに対して位置決めされる。また、中間歯車８５に対して歯車８７を噛み合わせるように配置する。この歯車８７は、第１ケース体２４ａの第１壁部２５の内側に形成された各穴部２５ｉ（図１９等）に中心軸部が挿入されることで、第１ケース体２４ａに対して位置決めされる。
【００９７】
そして、図２７のように各歯車を配置した状態で、図２８のように、第１ケース体２４ａに対して保持部材２７を固定する。このように保持部材２７を固定することで、各中間歯車８５，８６の中心軸部８５ａ,８６ａが保持部材２７に形成された図示しない穴部に挿入され、各中間歯車８５，８６がケース２４に回転可能に保持されることとなる。また、歯車８７の中心部に駆動軸２２ａ（図７等）を嵌合させると共に、保持部材２７に固定する形態でモータ２２を取り付ける。そして、挿入していた各治具２０１，２０２，２０３を抜くこととなる。
第１実施形態に係る遊技機用可動演出装置２０が完成することとなる（図２９参照）。
【００９８】
このように、本実施形態に係る遊技機用可動演出装置２０では、冶具２０１，２０２，２０３を挿入することで、カム部材の初期位置の決定を行うことができる。そして、各カムユニット３０，４０，５０における中心軸Ｇ１，Ｇ２，Ｇ３の軸方向に対するカム部材の位置合わせ、及び、中心軸Ｇ１，Ｇ２，Ｇ３が並列に配列するカム部材の位置合わせ（動作のタイミングの設定）を簡単に行うことができる。そして、最後に、第１ケース体２４ａの外面側に初期位置を検知するフォトセンサ１９８を固定することにより完成することとなる。なお、このフォトセンサ１９８は、回転ユニット７１の歯車８１に形成された突起部１９７が所定位置となったことを検出するように構成されている。
【００９９】
（第１実施形態の主な効果）
本実施形態に係る遊技機用可動演出装置２０は、回転駆動する駆動軸２２ａを備えたモータ２２と、所定の中心軸を中心として回転可能に構成されると共に、中心軸を中心とする周方向の所定位置に当接作用部が形成され、且つ中心軸方向の一方寄りに半径方向に張り出す側壁部が形成されたカム部材と、カム部材に対応して設けられ、カム部材の当接作用部の当接に応じて変位する可動体と、カム部材に一体的に固定され、モータ２２の駆動力を受けて中心軸を中心として回転する伝達部材と、を備えている。この構成によれば、モータ２２の駆動力をカム部材に伝達し、カム部材の作用によって可動体を変位させ得る構成を簡易に実現できる。
更に、カム部材の側壁部及び伝達部材には、中心軸の方向に貫通した確認孔が形成され、カム部材に対して伝達部材が規定の取付位置に配置されたときに、側壁部に形成された確認孔と伝達部材に形成された確認孔とが中心軸の方向に並ぶ位置合わせ状態となり、その位置合わせ状態でカム部材に対して伝達部材が固定されるようになっている。この構成によれば、組み付け時に確認孔が並んでいるか否かを確認することで、正規の部品が正しい位置に配置されているか否かを把握することができ、誤った部品の組み付け（誤組発生）や誤った位置への組み付けを効果的に防止することができる。また、組み付けの際に、カム部材及び伝達部材の両確認孔を挿し通すように細長の治具を用いることで、カム部材に対して伝達部材を規定の取付位置に容易に位置合わせすることができるため、両部材の組み付け作業を正確且つ効率的に行うことができるようになる。
【０１００】
具体的には、例えば、複数のカム部材３１，３２，３３が中心軸Ｇ１の方向に並んで一体的に連結されることで、中心軸Ｇ１を中心として回転可能なカムユニット３０が形成されている。そして、このカムユニット３０の各カム部材３１，３２，３３に対応して可動体６１，６２，６３がそれぞれ設けられている。このようにすることで、一体的なカムユニット３０の作用によって複数の可動体６１，６２，６３をそれぞれ所定のタイミングで変位させ得る構成を実現できる。  更に、カム部材３１，３２，３３に設けられた側壁部３７，３８，３９にそれぞれ確認孔３７ａ，３８ａ，３９ａ，が形成され、それら確認孔３７ａ，３８ａ，３９ａ，が中心軸Ｇ１の方向に並ぶ状態で複数のカム部材３１，３２，３３が互いに固定される構成となっている。そして、カムユニット３０に対して歯車８１（伝達部材）が所定位置に配置されたときに、各カム部材３１，３２，３３に形成された各確認孔３７ａ，３８ａ，３９ａ，と歯車８１に形成された確認孔８１ａとが中心軸Ｇ１の方向に並んで位置合わせ状態となり、その位置合わせ状態でカムユニット３０に対して歯車８１が固定されるようになっている。
この構成によれば、複数のカム部材３１，３２，３３を互いに組み付ける際に、各確認孔３７ａ，３８ａ，３９ａが並んでいるか否かを確認することで、正規のカム部材が正しい位置に配置されているか否かを把握することができ、カムユニット３０を構成する際の誤った部品の組み付け（誤組発生）や誤った位置への組み付けを効果的に防止することができる。また、複数のカム部材３１，３２，３３を互いに組み付ける際にも、各カム部材の確認孔３７ａ，３８ａ，３９ａを挿し通すように細長の治具２０１を用いることで、カム部材同士を正しい位置に容易に位置合わせすることができるため、複数のカム部材３１，３２，３３の組み付け作業を正確且つ効率的に行うことができるようになる。なお、カムユニット４０，５０も同様の特徴、効果を有している。
【０１０１】
また、本実施形態では、例えばカムユニット３０において、隣り合う２つのカム部材３１，３２或いは隣り合う２つのカム部材３２，３３が互いに当接する構成で並んでいる。例えば、隣り合う２つのカム部材３１，３２において、一方側のカム部材３１の側壁部３７が板状に構成され、当該一方側のカム部材３１の側壁部３７における側壁面に対し、他方側のカム部材３２の側壁部３８とは反対側の側壁面が当接（押圧）された状態で固定されている。同様に、隣り合う２つのカム部材３２，３３において、一方側のカム部材３２の側壁部３８が板状に構成され、当該一方側のカム部材３２の側壁部３８における側壁面に対し、他方側のカム部材３３の側壁部３９とは反対側の側壁面が当接（押圧）された状態で固定されている。
このようにすると、隣り合うカム部材同士を安定的に当接させて一体的なカムユニット３０を構成することができる。なお、カムユニット４０，５０も同様の特徴、効果を有している。
【０１０２】
また、上記カムユニット３０は、複数のカム部材３１，３２，３３の各確認孔３７ａ，３８ａ，３９ａが中心軸Ｇ１の方向に並んで互いに固定されたとき、各カム部材３１，３２，３３の当接作用部３４，３５，３６が中心軸Ｇ１回りの周方向において他のカム部材の当接作用部とずらされた所定位置に配置されるようになっている。そして、カムユニット３０の回転時に、各カム部材３１，３２，３３の当接作用部３４，３５，３６が可動体６１，６２，６３にそれぞれ作用する当接開始タイミングと、他のカム部材の当接作用部が可動体に作用する当接開始タイミングとが異なるように設定されている。
このようにすると、一体的なカムユニット３０によって複数の可動体６１，６２，６３をそれぞれ異なるタイミングで動作させることができ、可動体６１，６２，６３を時間差で変位させる演出が可能となる。一方、上記のように、各カム部材３１，３２，３３の当接作用部３４，３５，３６を周方向において他のカム部材の当接作用部とずらした所定位置に配置する構成とすると、各カム部材３１，３２，３３の当接作用部３４，３５，３６の位置合わせが難しくなることが懸念されるが、上記構成では、各確認孔３７ａ，３８ａ，３９ａが中心軸Ｇ１の方向に並んで互いに固定されたときに、各カム部材３１，３２，３３の当接作用部３４，３５，３６が所定位置（他のカム部材の当接作用部とずらされた位置）に配置されるようになっているため、各確認孔３７ａ，３８ａ，３９ａを中心軸Ｇ１の方向に並ばせるように調整することで正確な位置合わせを容易に行うことができる。なお、カムユニット４０，５０も同様の特徴、効果を有している。
【０１０３】
また、本実施形態では、並列に配置された複数の歯車８１，８２，８３（伝達部材）がモータ２２の回転に応じて連動するように構成され、各歯車８１，８２，８３に対してカム部材がそれぞれ取り付けられている。
このようにすると、複数のカム部材を単一の駆動源によって並列に回転駆動させることができ、各カム部材に対応する可動体をそれぞれ所定のタイミングで動作させ得る構成を簡易に実現できる。更に、各歯車８１，８２，８３に対して各カム部材を並列に組み付ける際に、それぞれの伝達部材において誤った部品の組み付け（誤組発生）や誤った位置への組み付けを効果的に防止することができ、且つ組み付け作業を効率的に行うことができるようになる。
【０１０４】
また、本実施形態では、伝達部材とカム部材とが一体化してなる回転ユニット７１，７２，７３を回転可能に支持するケース２４を備えている。そして、ケース２４において、回転ユニット７１，７２，７３の側部と対向する位置に貫通孔２５ａ，２５ｂ，２５ｃ，２６ａ，２６ｂ，２６ｃが形成され、回転ユニット７１，７２，７３が所定の回転位置のときに、カム部材及び伝達部材の確認孔と、ケースの貫通孔とが中心軸の方向に並ぶように構成されている。
このようにすると、回転ユニット７１，７２，７３をケース２４によって安定的に保持することができ、更に、ケース２４に対して回転ユニット７１，７２，７３を組み付ける際に、正規の伝達部材及びカム部材が取り付けられているか否かを貫通孔及び確認孔を基準として適切に確認することができる。また、回転ユニットの確認孔とケースの貫通孔とに治具を挿通することで、ケースに対して回転ユニットを容易に位置合わせすることができ、組み付け作業をより効率的に行うことができる。
【０１０５】
また、上記ケース２４において、回転ユニット７１，７２，７３における中心軸方向の一方側を支持する第１壁部２５と、他方側を支持する第２壁部２６とが設けられている。そして、第１壁部２５及び第２壁部２６のそれぞれに貫通孔が形成され、回転ユニット７１，７２，７３が所定の回転位置のときに、カム部材及び伝達部材の確認孔と、第１壁部２５及び第２壁部２６の貫通孔とが中心軸の方向に並ぶように構成されている。このようにすると回転ユニット７１，７２，７３を第１壁部２５及び第２壁部２６によって安定的に保持することができると共に、第１壁部２５、第２壁部２６、伝達部材、カム部材が全て適切な部品によって構成されているか否かを貫通孔及び確認孔を基準として確認することができる。また、回転ユニット７１，７２，７３の確認孔に挿通される治具を、ケース２４の両壁部（第１壁部２５及び第２壁部２６）の貫通孔に挿通することで、ケース２４の両側の壁部（第１壁部２５及び第２壁部２６）に対して回転ユニット７１，７２，７３を容易に位置合わせすることができ、組み付け作業をより効率的に行うことができる。
【０１０６】
[他の実施形態]
本発明は上記記述及び図面によって説明した実施形態に限定されるものではなく、例えば次のような実施形態も本発明の技術的範囲に含まれる。
【０１０７】
上記実施形態では、各カムユニットに３つのカム部材を設けた構成を例示したが、カム部材の数はこれ以外の数であってもよい。
【０１０８】
上記実施形態では、カムユニットを３つ設けた構成を例示したが、カムユニットの数はこれ以外の数であってもよい。
【符号の説明】
【０１０９】
１…遊技機
２０…遊技機用可動演出装置
２２…モータ
２２ａ…駆動軸
２４…ケース
２５…第１壁部
２６…第２壁部
２５ａ，２５ｂ，２５ｃ，２６ａ，２６ｂ，２６ｃ…貫通孔
３０，４０，５０…カムユニット
３１，３２，３３，４１，４２，４３，５１，５２，５３…カム部材
３４，３５，３６，４４，４５，４６，５４，５５，５６…当接作用部
３７，３８，３９，４７，４８，４９，５７，５８，５９…側壁部
６１〜６９…可動体
６１ａ，６２ａ，６３ａ…被作用部
６１ｃ，６２ｃ，６３ｃ…確認孔
８１，８２，８３…歯車（伝達部材）
３７ａ，３８ａ，３９ａ，４７ａ，４８ａ，４９ａ，５７ａ，５８ａ，５９ａ…確認孔
８１ａ，８２ａ，８３ａ…確認孔
Ｇ１，Ｇ２，Ｇ３…中心軸
【図１】
0005414065.tif 000002
【図２】
0005414065.tif 000003
【図３】
0005414065.tif 000004
【図４】
0005414065.tif 000005
【図５】
0005414065.tif 000006
【図６】
0005414065.tif 000007
【図７】
0005414065.tif 000008
【図８】
0005414065.tif 000009
【図９】
0005414065.tif 000010
【図１０】
0005414065.tif 000011
【図１１】
0005414065.tif 000012
【図１２】
0005414065.tif 000013
【図１３】
0005414065.tif 000014
【図１４】
0005414065.tif 000015
【図１５】
0005414065.tif 000016
【図１６】
0005414065.tif 000017
【図１７】
0005414065.tif 000018
【図１８】
0005414065.tif 000019
【図１９】
0005414065.tif 000020
【図２０】
0005414065.tif 000021
【図２１】
0005414065.tif 000022
【図２２】
0005414065.tif 000023
【図２３】
0005414065.tif 000024
【図２４】
0005414065.tif 000025
【図２５】
0005414065.tif 000026
【図２６】
0005414065.tif 000027
【図２７】
0005414065.tif 000028
【図２８】
0005414065.tif 000029
【図２９】
0005414065.tif 000030